(57)【特許請求の範囲】
【請求項１】
ベースを保持する保持機構と、前記ベースの上方から所定位置に液剤を付与する液剤付与装置と、前記ベースの上方から粉体を落下させる粉体付与装置と、前記ベース上の未固結な粉体を除去する粉体除去装置とを備え、
前記液剤付与装置により液剤を付与し、次いで、前記粉体付与装置により粉体を付与し、前記液剤と、前記液剤上に付与された前記粉体とを固結させ、次いで、前記液剤と固結されなかった前記粉体を前記粉体除去装置により除去する工程を繰り返し行うことにより、前記ベース上に立体構造物を形成することを特徴とする積層造形装置。
【請求項２】
前記保持機構が前記ベースが載置されるテーブルである請求項１に記載の積層造形装置。
【請求項３】
前記保持機構が前記ベースに挿入される棒状部材である請求項１に記載の積層造形装置。
【請求項４】
前記粉体除去装置が前記ベースを回転させる回転機構を備え、前記未固結な粉体を重力により落下させて除去する請求項１に記載の積層造形装置。
【請求項５】
前記粉体除去装置がエアを吹き出すエアノズルを備え、前記未固結な粉体を前記エアにより吹き飛ばして除去する請求項１に記載の積層造形装置。
【請求項６】
前記粉体除去装置がエアを吸引する吸引ノズルを備え、前記未固結な粉体を前記吸引ノズルに吸引して除去する請求項１に記載の積層造形装置。
【請求項７】
前記保持機構を振動させる振動発生装置を更に備える請求項１に記載の積層造形装置。
【請求項８】
前記テーブルの水平方向の周囲を囲む升と、前記升内に盛られた前記粉体の高さをならす均し部材と、前記升と前記テーブルとの高さ方向の相対位置を変化させる昇降機構とを更に備える請求項２に記載の積層造形装置。
【請求項９】
前記保持機構が前記ベースが載置されるテーブルであり、
前記積層造形装置が、前記テーブルの水平方向の周囲を囲む升と、前記升内に盛られた前記粉体の高さをならす均し部材と、前記升と前記テーブルとの高さ方向の相対位置を変化させる昇降機構とを更に備え、
前記粉体付与装置により前記升内に粉体を付与し、次いで、前記均し部材により前記粉体の高さをならし、次いで、前記液剤付与装置により液剤を付与し、次いで、前記昇降機構により前記升に対して前記テーブルを相対的に下降させる工程を繰り返し行うことにより、前記立体構造物上に更に立体構造物を形成する請求項１に記載の積層造形装置。
【請求項１０】
前記ベース又は前記ベース上に形成された前記立体構造物を計測する３次元計測装置を更に備える請求項１に記載の積層造形装置。
【請求項１１】
前記粉体付与装置の下面に、前記下面に形成された開口を塞ぐように、互いに重ね合わされた複数のスクリーンが設けられており、前記複数のスクリーンのそれぞれには前記粉体が通過することができる複数の孔が形成されており、前記複数のスクリーンのうちの少なくとも１つの他のスクリーンに対する相対的な移動を制御することで前記粉体の落下が制御される請求項１に記載の積層造形装置。
【請求項１２】
前記複数のスクリーンのうちの１つは、帯状のスクリーンの両端が環状に接続されたエンドレススクリーンである請求項１１に記載の積層造形装置。
【請求項１３】
前記粉体付与装置が、傾斜した基板と、前記基板上に配置された複数の分割板とを備え、前記複数の分割板は上下方向に複数の段に分けて配置されており、Ｎを自然数としたとき、上から第Ｎ＋１段に含まれる分割板の数は第Ｎ段に含まれる分割板の数より多く、各分割板は上方からの粉体流を２つの粉体流に分割する請求項１に記載の積層造形装置。
【請求項１４】
前記ベースの向きを第１方向及び前記第１方向と異なる第２方向を含む少なくとも２方向に変化させる傾斜機構を更に備え、前記ベースが前記第１方向に向けられた状態及び前記ベースが前記第２方向に向けられた状態のそれぞれにおいて、前記液剤の付与及び前記粉体の落下を行う請求項１に記載の積層造形装置。
【請求項１５】
前記第１方向に向けられた前記ベースに対して前記液剤の付与と前記粉体の落下とを繰り返し行って前記ベース上に前記液剤と前記粉体とが固結してなる第１固結部層を形成した後、前記第２方向に向けられた前記ベースに対して前記液剤の付与と前記粉体の落下とを繰り返し行って前記ベース上に前記液剤と前記粉体とが固結してなる第２固結部層を形成する請求項１４に記載の積層造形装置。
【請求項１６】
前記第１方向に向けられた前記ベースに対して前記液剤の付与と前記粉体の落下とを行って前記ベース上に前記液剤と前記粉体とが固結してなる第１固結部層を形成する工程と、前記第２方向に向けられた前記ベースに対して前記液剤の付与と前記粉体の落下とを行って前記ベース上に前記液剤と前記粉体とが固結してなる第２固結部層を形成する工程とを交互に繰り返し行う請求項１４に記載の積層造形装置。
【発明の詳細な説明】
【技術分野】
【０００１】
本発明は、液剤と粉体とが固結してなる固結部を積層して所望の立体構造物を製作する積層造形装置に関する。
【背景技術】
【０００２】
歯科臨床および歯科研究において、矯正用ブラケット、矯正用装置、インレイ、オンレイ、ブリッジ、コア材、インプラント上部構造、局部床義歯、全部床義歯、各種模型、実験用治具、実験用構造材などの歯科用構造材の製造には、主に手作業による型取り、複製模型の作製、ワックスアップ、埋没、脱鑞、鋳型、築盛、研磨などを組み合わせた煩雑かつ多段階の工程からなる方法が用いられている。この方法の実施には多岐に渡る材料及び器材の調達、使い分け、適用のための正しい知識が必須であり、更には操作を実施するための十分な習熟と技能が求められる。従って、歯科用構造材を製造するには多大な労力と時間が必要であり、製造効率、生産性の向上には限界がある。また、数度に渡る型取り作業や鋳造作業による誤差の発生が避けられないため、最終製造品の適合性や色調に不満の残る結果になることが多く、この問題の解消のために更に熟練と手間と時間を要する調整、修正作業を強いられている。
【０００３】
そのため、近年著しく発達したコンピュータによる加工技術を元にして、品質改善、製造効率の向上を目的とした多くの方法が開発されてきた。
【０００４】
特開２００４−３４４６２３号公報及び特開２００５−５９４７７号公報には、造形テーブル上にて粉体を層状に積層して所望の立体構造物を製作する積層造形装置が記載されている。以下にこれを簡単に説明する。
【０００５】
図２６は、従来の積層造形装置１００の概略構成を示した斜視図である。図示したように、互いに直交する水平方向軸をＸ軸及びＹ軸、上下方向軸をＺ軸とする。図２６において、１１０はＺ軸方向に昇降可能な造形テーブル、１２０は造形テーブル１１０の水平方向の周囲を取り囲む壁を備えた升、１３０は粉体を造形テーブル１１０上に散布する粉体フィーダ、１４０は液剤を造形テーブル１１０上に吐出する液剤フィーダ、１５０は造形テーブル１１０上に散布された粉体の上面を平面にならす均し部材、１６０は吐出された液剤を光重合させるための光線を放出する光源である。図２６では、構造を理解しやすくするために、升１２０を二点鎖線で示して、その中の造形テーブル１１０を透視している。
【０００６】
粉体フィーダ１３０は、Ｙ軸方向において、造形テーブル１１０の寸法と略同一の粉体散布幅を有する。粉体フィーダ１３０は、粉体を散布しながらＸ軸方向に移動することにより、造形テーブル１１０の全面に粉体を散布する。
【０００７】
均し部材１５０は、その下端にＹ軸方向に延びた均し端縁１５１を有する。均し端縁１５１を升１２０の上面１２２に摺動させながら、均し部材１５０はＸ軸方向に移動する。
【０００８】
液剤フィーダ１４０は、一軸案内機構１４８によりＹ軸方向に移動する。そして、この一軸案内機構１４８は図示しない駆動機構によりＸ軸方向に駆動される。即ち、液剤フィーダ１４０は、造形テーブル１１０上をＸ軸方向及びＹ軸方向に走査しながら、所望する位置にて造形テーブル１１０に向かって液剤を吐出する。
【０００９】
造形テーブル１１０は、図示しない駆動機構により一定ピッチで下降される。この１ピッチに相当する厚さずつ、造形テーブル１１０上に粉体が積層されて行く。
【００１０】
立体構造物の製作方法の詳細を図２７Ａ〜図２７Ｅを用いて説明する。
【００１１】
図２７Ａは、造形テーブル１１０上に既に粉体が複数層（図では２層）積層された状態を示している。１７１は、造形テーブル１１０上に堆積された複数の粉体層のうちの最上層、１７２は、最上層１７１のうち液剤の重合により形成された固結部、１７３は最上層１７１の１つ前に堆積された粉体層、１７４は粉体層１７３のうち液剤の重合により形成された固結部である。
【００１２】
この状態において、図２７Ａに示すように、粉体フィーダ１３０をＸ軸方向に移動させながら、そのスリット１３２から造形テーブル１１０上に粉体１３４を散布する。
【００１３】
次いで、図２７Ｂに示すように、均し部材１５０をＸ軸方向に移動させて、粉体１３４の上面を升１２０の上面１２２と同一高さに規制する。これにより、最上層１７１上に均一厚さの粉体層１７５が形成される。
【００１４】
次いで、図２７Ｃに示すように、液剤フィーダ１４０を移動させながら、所定の位置にて粉体層１７５に向かって液剤を吐出する。１７６は、粉体層１７５のうち液剤が付与された部分である。
【００１５】
次いで、図２７Ｄに示すように、光源１６０により光を照射して、粉体層１７５に付与された液剤を重合させ固化させる。液剤が固化する際、液剤が付与された領域内の粉体が一体化される。かくして、粉体層１７５中に固結部１７７が形成される。
【００１６】
次いで、造形テーブル１１０を所定のピッチだけ下降させて、上記の図２７Ａ〜図２７Ｄを行う。以上の工程を必要な回数だけ繰り返し行う。
【００１７】
最後に、造形テーブル１１０上の未固結の粉体を除去することにより、図２７Ｅに示すように、固結部１７４，１７２，１７７等が一体となった立体構造物１７０を得ることができる。
【００１８】
この方法を利用すれば、例えば歯科用構造材などの複雑な形状を有する立体構造物を製作することも可能である。
【特許文献１】特開２００４−３４４６２３号公報
【特許文献２】特開２００５−５９４７７号公報
【発明の開示】
【発明が解決しようとする課題】
【００１９】
一般に、歯科用構造材では、その表面が滑らかであることが要求される。特に、局部床義歯や全部床義歯では、患者の口腔内の粘膜面に接する表面の平滑性は、義歯の装着感に大きな影響を及ぼすので極めて重要である。
【００２０】
ところが、上記の従来の積層造形装置では、完成直後の立体構造物の表面には、積層による段差や粉体による微細な凹凸が残存してしまう。従って、特に口腔内の粘膜面に接する表面に対しては、表面滑沢剤の付与や研磨処理などの後処理が必要であった。
【００２１】
本発明は、平滑な表面を少なくとも一部に有し、その結果、表面平滑化処理を省略又は簡素化することができる立体構造物を製作可能な積層造形装置を提供することを目的とする。
【課題を解決するための手段】
【００２２】
本発明の積層造形装置は、ベースを保持する保持機構と、前記ベースの上方から所定位置に液剤を付与する液剤付与装置と、前記ベースの上方から粉体を落下させる粉体付与装置と、前記ベース上の未固結な粉体を除去する粉体除去装置とを備える。そして、前記液剤付与装置により液剤を付与し、次いで、前記粉体付与装置により粉体を付与し、前記液剤と、前記液剤上に付与された前記粉体とを固結させ、次いで、前記液剤と固結されなかった前記粉体を前記粉体除去装置により除去する工程を繰り返し行うことにより、前記ベース上に立体構造物を形成する。
【発明の効果】
【００２３】
本発明によれば、ベースに、最初に液剤が付与されるので、立体構造物のベースに接していた面にはベースの表面性状が忠実に反映され、積層による段差や粉体による微細な凹凸を低減できる。従って、平滑な表面を有する立体構造物を得ることができる。その結果、表面平滑化処理を省略又は簡素化することができる。
【００２４】
例えば、局部床義歯や全部床義歯を作成した場合には、口腔内の粘膜面に対する適合性が著しく向上するので、患者の口腔内への義歯装着時の調整作業が大幅に軽減され、患者への負担と歯科医の労力及び作業時間とを軽減することができる。
【００２５】
また、歯科技工士が有床義歯を作製するために従来行っていた多くの工程を大幅に簡略化することができる。
【００２６】
更に、有床義歯の粘膜面に対する適合性が向上するので、適合性が悪いために再作製するというケースを少なくすることが可能になる。
【００２７】
また、有床義歯の粘膜面に対する適合性が向上し、また作業者による適合性のバラツキが少なくなるので、患者は義歯安定剤を使用する必要が減少する。その結果、咬合高径が義歯設計時のとおりとなり、義歯安定剤の使用による咬合高径の変化によって引き起こされる咬合性障害や顎関節異常の発生確率を減少させることができる。
【００２８】
また、義歯が必要になってから実際に装着するまでの期間を短縮できるので、義歯が完成するまでの患者が不自由な思いをする時間を短くすることができる。
【００２９】
また、義歯が破損した場合も、高精度の義歯を容易に再作成することができるので、再作製のための診断や完成までの待ち時間を極めて短くすることができる。
【発明を実施するための最良の形態】
【００３０】
前記保持機構が前記ベースが載置されるテーブルであることが好ましい。これにより、比較的大きな立体構造物を作成することができる。
【００３１】
あるいは、前記保持機構が前記ベースに挿入される棒状部材であっても良い。これにより、比較的小さな立体構造物を作成することができる。
【００３２】
前記粉体除去装置が前記ベースを回転させる回転機構を備え、前記未固結な粉体を重力により落下させて除去することが好ましい。あるいは、前記粉体除去装置がエアを吹き出すエアノズルを備え、前記未固結な粉体を前記エアにより吹き飛ばして除去することが好ましい。あるいは、前記粉体除去装置がエアを吸引する吸引ノズルを備え、前記未固結な粉体を前記吸引ノズルに吸引して除去することが好ましい。いずれの場合も、簡易な方法で未固結な粉体を除去することができる。
【００３３】
本発明の積層造形装置は、前記保持機構を振動させる振動発生装置を更に備えることが好ましい。これにより、未固結な粉体の除去を容易且つ短時間で行うことができる。
【００３４】
本発明の積層造形装置が、前記テーブルの水平方向の周囲を囲む升と、前記升内に盛られた前記粉体の高さをならす均し部材と、前記升と前記テーブルとの高さ方向の相対位置を変化させる昇降機構とを更に備えることが好ましい。これにより、一定厚さに粉体を散布した後、液剤を粉体上に付与して形成された固結部層を積層して立体構造物を作成することができる。
【００３５】
前記保持機構が前記ベースが載置されるテーブルであり、前記積層造形装置が、前記テーブルの水平方向の周囲を囲む升と、前記升内に盛られた前記粉体の高さをならす均し部材と、前記升と前記テーブルとの高さ方向の相対位置を変化させる昇降機構とを更に備えることが好ましい。そして、前記粉体付与装置により前記升内に粉体を付与し、次いで、前記均し部材により前記粉体の高さをならし、次いで、前記液剤付与装置により液剤を付与し、次いで、前記昇降機構により前記升に対して前記テーブルを相対的に下降させる工程を繰り返し行うことにより、前記立体構造物上に更に立体構造物を形成することが好ましい。これにより、アンダーカット形状など複雑な形状を有する立体構造物の作成が容易になる。
【００３６】
本発明の積層造形装置が、前記ベース又は前記ベース上に形成された前記立体構造物を計測する３次元計測装置を更に備えることが好ましい。これにより、ベースの形状の測定、保持機構に対するベースの位置決め、ベース上に形成された立体構造物の形状の測定などを容易に行うことができる。
【００３７】
前記粉体付与装置の下面に、前記下面に形成された開口を塞ぐように、互いに重ね合わされた複数のスクリーンが設けられていても良い。この場合、前記複数のスクリーンのそれぞれには前記粉体が通過することができる複数の孔が形成されていることが好ましい。また、前記複数のスクリーンのうちの少なくとも１つの他のスクリーンに対する相対的な移動を制御することで前記粉体の落下が制御されることが好ましい。これにより、開口の形状や大きさにかかわらず、粉体の落下の開始及び停止を容易に制御することができる。換言すれば、粉体付与装置からの粉体の落下領域に関する設計の自由度が向上する。
【００３８】
前記複数のスクリーンのうちの１つは、帯状のスクリーンの両端が環状に接続されたエンドレススクリーンであることが好ましい。エンドレススクリーンを一方向に連続的に移動させることにより、粉体を安定的に連続して落下させることができる。
【００３９】
前記粉体付与装置が、傾斜した基板と、前記基板上に配置された複数の分割板とを備えていても良い。この場合、前記複数の分割板は上下方向に複数の段に分けて配置されていることが好ましい。また、Ｎを自然数としたとき、上から第Ｎ＋１段に含まれる分割板の数は第Ｎ段に含まれる分割板の数より多いことが好ましい。更に、各分割板は上方からの粉体流を２つの粉体流に分割することが好ましい。これにより、広い領域に大量の粉体を散布することが可能になるので、立体構造物の形成時間を短縮することができる。
【００４０】
本発明の積層造形装置が、前記ベースの向きを第１方向及び前記第１方向と異なる第２方向を含む少なくとも２方向に変化させる傾斜機構を更に備えることが好ましい。この場合、前記ベースが前記第１方向に向けられた状態及び前記ベースが前記第２方向に向けられた状態のそれぞれにおいて、前記液剤の付与及び前記粉体の落下を行うことが好ましい。これにより、ベースの表面に例えば窪みが形成されていても、窪み内に固結部層を形成することができる。従って、ベースの形状を問わず、容易に所望する形状の立体構造物を形成することができる。
【００４１】
上記において、前記第１方向に向けられた前記ベースに対して前記液剤の付与と前記粉体の落下とを繰り返し行って前記ベース上に前記液剤と前記粉体とが固結してなる第１固結部層を形成した後、前記第２方向に向けられた前記ベースに対して前記液剤の付与と前記粉体の落下とを繰り返し行って前記ベース上に前記液剤と前記粉体とが固結してなる第２固結部層を形成しても良い。
【００４２】
あるいは、前記第１方向に向けられた前記ベースに対して前記液剤の付与と前記粉体の落下とを行って前記ベース上に前記液剤と前記粉体とが固結してなる第１固結部層を形成する工程と、前記第２方向に向けられた前記ベースに対して前記液剤の付与と前記粉体の落下とを行って前記ベース上に前記液剤と前記粉体とが固結してなる第２固結部層を形成する工程とを交互に繰り返し行っても良い。
【００４３】
いずれの場合も、所望する形状の立体構造物を効率よく形成することができる。
【００４４】
以下、本発明を実施の形態を示しながら詳細に説明する。
【００４５】
（実施の形態１）
図１は、本発明の実施の形態１に係る積層造形装置１の概略構成を示した斜視図である。図示したように、互いに直交する水平方向軸をＸ軸及びＹ軸、上下方向軸をＺ軸とする。
【００４６】
造形テーブル（保持機構）１０上にベース１２が保持される。立体構造物はベース１２上に積層形成される。造形テーブル１０には、Ｙ軸方向を長手方向とするアーム４０の一端が結合され、アーム４０の他端は図示しない回転駆動機構に接続されている。回転駆動機構はアーム４０を矢印４２の方向に回転させ、造形テーブル１０を反転させることができる。
【００４７】
液剤フィーダ（液剤付与装置）２０はベース１２の上方から液剤を吐出し落下させる。液剤フィーダ２０は、一軸案内機構２８によりＹ軸方向に移動する。そして、この一軸案内機構２８は図示しない駆動機構によりＸ軸方向に駆動される。即ち、液剤フィーダ２０は、ベース１２上をＸ軸方向及びＹ軸方向に走査しながら、所望する位置にて液剤を吐出する。
【００４８】
粉体フィーダ（粉体付与装置）３０は、粉体を落下させるスリット３２をその下面に有する。粉体フィーダ３０は、Ｙ軸方向において、少なくともベース１２の寸法以上の粉体散布幅を有する。粉体フィーダ３０は、粉体を散布しながらＸ軸方向に移動することにより、ベース１２の上方から粉体を落下させる。
【００４９】
造形テーブル１０の上方には、３次元計測ユニット５０が設けられている。
【００５０】
このような積層造形装置１を用いた立体構造物の製作方法を説明する。
【００５１】
まず、図２Ａに示すように、造形テーブル１０上にベース１２を固定する。例えば、有床義歯を製作する場合、ベース１２は患者の顎堤を複製したものであり、その上面は患者の口腔内の粘膜面形状と同じ形状を呈する。
【００５２】
但し、セメントスペースの確保や装着感向上のために、最終的に得られる立体構造物と患者の口腔内の被装着面との間に所望の隙間を確保したい場合には、ベース１２の表面の一部又は全部に、隙間付与材として金属、樹脂などからなる箔や薄層が貼付又は塗布されていても良い。
【００５３】
この際、図２Ｂに示すように、３次元計測ユニット５０を用いて、造形テーブル１０上にベース１２を正確に位置決めしても良い。また、３次元計測ユニット５０を用いて、ベース１２の上面形状を計測しても良い。
【００５４】
次に、図３Ａに示すように、液剤フィーダ２０を移動させながら、所定の位置にてノズル２１より液剤２２を吐出する。かくして、ベース１２上の所定位置に液剤２２が付着する。
【００５５】
１層の固結部層を形成するための液剤の吐出は、液剤フィーダ２０の１回の走査で完了させても良いが、複数回の走査に分けて行っても良い。複数回の走査に分けることにより、例えば液剤として粉体を膨潤させる材料を用いる場合に粉体の膨潤の進行を抑制したり、液剤のにじみを抑えて所望する領域の外に液剤が広がるのを防止したりすることができる。
【００５６】
次に、図３Ｂに示すように、粉体フィーダ３０をＸ軸方向に移動させながら、ベース１２が粉体３４で覆われるようにスリット３２から粉体３４を落下させる。そして、液剤２２が付着した部分では、液剤２２により粉体を膨潤させ、液剤２２を重合させて、液剤と粉体とを固結させる。
【００５７】
次に、図３Ｃに示すように、アーム４０を介して造形テーブル１０を反転させる。これにより、ベース１２上の、液剤２２により固結された粉体を除く余剰の粉体３４が重力により落下して除去される。その結果、ベース１２上に、液剤と粉体とが固結して形成された固結部６１が形成される。
【００５８】
造形テーブル１０に造形テーブル１０を振動させる振動発生装置が設けられていても良い。造形テーブル１０を反転させたときに造形テーブル１０を振動させることにより、余剰の粉体３４の除去を容易且つ短時間に行うことができる。振動発生装置としては、特に制限はないが、例えば電動モータの回転軸に偏心した重りを取り付けた装置を用いることができる。
【００５９】
図３Ａから図３Ｃと同様の工程を必要回数だけ繰り返して行い、ベース１２上に液剤と粉体とが固結して形成された固結部層を順に積層していく。液剤フィーダ２０による液剤の付与位置を変えれば、各固結部層の積層位置を変えることができる。その結果、図３Ｄに示すように、ベース１２上に、液剤と粉体とが固結した多数の固結部層からなる立体構造物６０を形成することができる。
【００６０】
造形テーブル１０上の立体構造物６０の完成形状を、３次元計測ユニット５０を用いて計測しても良い。
【００６１】
その後、立体構造物６０をベース１２から分離して、所望する形状を有する立体構造物６０を得る。必要により表面仕上げ処理を行い、表面滑沢性を向上させても良い。
【００６２】
本発明では、ベース１２上に、最初に液剤を付与し、次いで粉体を散布し、その後、液剤と粉体とを固結させる。即ち、ベース１２の表面には、最初に、粉体ではなく液剤が付与される。従って、最終的に得られる立体構造物６０のうち、ベース１２と接触していた面（下面）は、ベース１２の表面がほぼ忠実に転写される。よって、ベース１２の表面を滑らかな面にしておけば、これと同様の滑らかな面を得ることができる。
【００６３】
例えば、歯科用構造材を製作する場合、患者の口腔内の粘膜面形状を再現した滑らかな上面を有するベース１２を用いれば、粘膜面に接する面を平滑にすることができる。従って、この面に対する表面平滑化処理を省略又は簡素化することができる。また、表面平滑化処理による寸法精度の悪化を低減できるので、適合性が悪化しない。以上により、高度に熟練した作業者によらずに、歯科用構造材を短時間で高精度に製作できる。
【００６４】
本発明において、積層厚み（１層の固結部の厚み）は立体構造物の用途に応じて変更することができる。積層厚みを小さくすれば、解像度が増加し、寸法精度や表面平滑性が向上する。
【００６５】
［粉体］
粉体の材料は、有機物、無機物、金属酸化物など任意の種類の粒体を一種類または複数種類を組み合わせて使用することが可能である。粉体の材料に特に制限はないが、材料の選択に際しては立体構造物の用途を考慮することが好ましい。例えば、歯科用構造材を製作する場合には、安全性や加工性を考慮して、歯科において広く用いられている実績のある材料を用いることが好ましい。具体的には、ガラス系材料、各種金属酸化物、各種セラミックス材料、各種ポリマー、または以上の材料を組み合わせた組成物などを用いることができる。また、粉体の表層がこれらの材料で覆われていても良い。
【００６６】
樹脂材料を用いる場合、例えば、メチルメタアクリレート重合体、エチルメタアクリレート重合体、メチルメタアクリレートとエチルメタアクリレートとの共重合体のうちのいずれか１種類、あるいはこれらのうちの２種類以上の混合物を用いることができる。この場合、粉体中に上記樹脂材料からなる粉体を３０重量％以上（更には５０重量％以上、特に７０重量％以上）含有することが好ましく、更に有機粉体、無機粉体、金属酸化物粉体のうちいずれか１種類または２種類以上を含んでいても良い。
【００６７】
粉体には必要に応じて各種の表面処理を施すことも可能である。例えばシラン処理や加熱処理を実施できる。
【００６８】
粉体の形状には特に制限はなく、不定形、球形、ドーナツ型、ポーラス状、凝集塊、ウィスカ、棒状、針状、多孔質、ディンプル状などの形状を目的に応じて適宜選択して用いることができる。不定形、球形、ドーナツ型、ポーラス状などは造形しやすいという利点を持つ。ウィスカ、棒状、針状は、硬化後の強度向上に大変効果がある。凝集塊、多孔質、ディンプル状などは、粉体と液剤との接着性の向上に効果があり、硬化後は大きな機械的強度を発現し且つ維持できるという利点を持つ。
【００６９】
粒径についても特に制限はないが、一回の積層厚さより小さい粒径である必要がある。具体的には平均粒子径が０．００１μｍ以上、０．５ｍｍ以下であることが好ましい。更には０．１μｍ以上、０．３ｍｍ以下、特に１０μｍ以上、０．１５ｍｍ以下であることが好ましい。
【００７０】
粉体の供給方法としては、粉体を貯留タンク内に準備しておき、チューブを通して粉体フィーダ３０に供給する方法や、粉体フィーダ３０自身が貯留タンクを備え重力によりスリット３２から落下させる方法などをとることができる。貯留タンクを複数設置して、夫々の貯留タンクに組成や色調などが異なる複数種類の粉体を準備しておき、立体構造物の製作時に目的に合わせて複数種類の粉体を適宜使い分け、組み合わせて使用することもできる。複数種類の粉体を切り替えて使用する場合には、貯留タンクからスリット３２への粉体供給や、スリット３２の開閉をコンピュータによって制御することが好ましい。
【００７１】
スリット３２のＸ軸方向の開口幅は使用する粉体の最大の粒子径の２倍以上、更には６倍以上であることが好ましい。
【００７２】
上記の図３Ｃの工程において除去され落下した粉体３４を効率よく回収するために、トレイ、吸引装置、及び運搬機構を造形テーブル１０の下部に設けてもよい。回収した粉体はふるいにかけてゴミを取り除いた後に再び貯留タンクに戻して繰り返して使用することもできる。
【００７３】
［液剤］
液剤は硬化して粉体と一体化して、固結部のバインダーとなる。
【００７４】
液剤としては、重合性単量体を基本として目的に応じて各種の添加剤を配合したものを使用することが可能である。また、液剤は、本発明の実施上求められる粘度や各種物性を損なわない限りにおいて任意の粒体、フィラー、繊維状物質などを含むことも可能である。液剤の材料に特に制限はないが、材料の選択に際しては立体構造物の用途を考慮することが好ましい。例えば、歯科用構造材を製作する場合には、安全性や加工性を考慮して、歯科において広く用いられている実績のある材料を用いることが好ましい。具体的には、水、アクリル系、ウレタン系または他の系統を主成分とするモノマー又はオリゴマー、これらのモノマー又はオリゴマーと可塑剤とからなる組成物、有機溶媒のうち少なくとも１種類以上から成る組成物、これらを混合した液状体が好ましい。
【００７５】
液剤の主成分となる重合性単量体としてはメチルメタアクリレート、またはエチルメタアクリレートが好ましい。
【００７６】
例えば、ポリアルキルアクリレートポリマーが０．１〜３５重量％溶解された液剤を用いることができる。
【００７７】
液剤の粘度が低くて射出に適さない場合は、増粘作用を有する成分を含有させることが望ましい。例えばウレタン系樹脂等の高分子量の重合性単量体や比較的小さな分子量で重合時に架橋材として用いられることの多いエチレングリコールジメタアクリレート、トリエチレングリコールジメタアクリレート、ネオペンチルグリコールジメタアクリレート、１，６ヘキサンジオールジメタアクリレートなどの重合性単量体を好適に用いることができる。
【００７８】
また、色調が異なる複数の液剤を用意しておき、これらの液剤を配合量を変化させて混合（混色）して任意の色調の液剤を得ることもできる。基本的に減算混色理論により所望の色調を得ることができる。透明度の制御は透明液剤と不透明液剤との混合で行う。すなわち、透明液剤の配合量を多くすれば透明性が向上し、不透明液剤の配合量を多くすれば透明性が低下する。白色の不透明材を用いて不透明液剤を調製すれば、不透明化と同時に明度を向上させることができる。明度を低下させるためには黒色液剤を使用するのが望ましい。
【００７９】
色調が互いに異なる２以上の液剤からなる色調セットを予め準備する場合、選択する色調に特に制限はなく、色相、明度、彩度の範囲には一切の制限はない。例えば歯科用構造材を製作する場合には、その使用目的に合致する限りにおいて任意の色調を選択できる。色調セットを構成する色調数は、歯科用構造材の使用目的に応じて１又は２以上の任意の数でよい。色調数の上限は特に設けないが、通常は液剤の保守や設置スペースの確保などの観点からは可能な限り少ない色調数で可能な限り多数の色調を再現できることが好ましい。そのため、１〜２４色、更には２〜１２色、特に３〜８色からなる色調セットが好ましい。３〜８色のセットとした場合、赤、黄、黒を必ず加える事が好ましい。これに粉体自体の色である白色を組み合わせることでほとんどの歯牙、歯肉の色調が再現できる。他には明度や彩度を調整するための色やキャラクタライズに用いる色を加えて色調セットを構成することができる。
【００８０】
あるいは、エナメル質、象牙質、歯肉の各色調に調整した液剤を各部に応じて用いることもできる。この方法は、色調が異なる複数の液剤を混合する方法に比べて、色調のバリエーションや細かな色調調整の観点からは劣るが、日常の補綴物の作製のように再現する色調がほぼ限られている場合には用意する液剤の種類や在庫を最小限に抑えることができるので合理的である。
【００８１】
重合後の物理的及び／又は化学的特性が互いに異なる複数の液剤からなる液剤セットを用いることもできる。例えば、歯牙の内部は強靭性に優れた樹脂を主成分とする液剤を用いて形成し、エナメル質部は硬度が高く耐磨耗性に優れた樹脂を主成分とする液剤を用いて形成することで、磨耗しにくく且つ割れにくい、長期間の使用に耐える義歯を作製することができる。
【００８２】
異なる色調と異なる物性を持った各種液剤を任意に組み合わせて液剤セットを構成することも勿論可能である。これにより、従来の手作業又は機械による自動製作による歯科用構造材の作成方法と比較して、審美性及び機能性をともに向上させることが可能になり、歯科臨床および研究用として幅広い用途に適用することができる。
【００８３】
［液剤フィーダ］
ベース１２の上方から一定量の液剤を吐出する液剤フィーダ２０は、液剤貯留タンクと直接あるいはチューブを介して間接的に接続されている。液剤貯留タンクは液剤フィーダ２０と一緒に設置されていても良いし、別に設置されていても良い。液剤貯留タンクが交換可能なカートリッジであっても良い。これにより液剤の種類を変更したり、液剤を補充する際の作業が簡便となる。
【００８４】
液剤フィーダ２０の液剤が吐出されるノズル２１の口径は、吐出量、分解能、製作しようとする立体構造物の形状や大きさ等を考慮して適宜選択することができるが、１μｍから５００μｍの範囲にあることが好ましい。歯科用構造材を製作する場合には、３μｍから２００μｍの範囲、更には６μｍから５０μｍの範囲にあることが好ましい。
【００８５】
液剤フィーダ２０の動作原理としては、種々のものを用いることができる。例えば、空気や窒素ガスなどの気体を用いてその圧力によって液剤を吐出する方式、ピエゾ素子を用いて微小量の液剤を飛ばす方式、バブルジェット（登録商標）方式、液剤を帯電させて電気的な引力を利用して吐出する方式、超音波などのエネルギーを利用して液剤を飛ばす方式などを使用でき、液剤の種類、吐出量、製作しようとする立体構造物などに応じて適宜選択することができる。中でも、空気などの気体圧力によって液剤を吐出する方式、ピエゾ素子を用いる方式、バブルジェット（登録商標）方式などが好ましい。
【００８６】
一個の液剤フィーダ２０に２種以上の液剤を供給しても良い。この場合、各々の液剤供給パイプを液剤フィーダ２０に直結してもよいし、あるいは、各々の液剤供給パイプを合流させた一つの供給パイプを液剤フィーダ２０に接続してもよい。
【００８７】
液剤フィーダ２０の数は１つに限らず、複数でも良い。この場合、各液剤フィーダ２０に異なる液剤をそれぞれ供給しても良いし、全ての液剤フィーダ２０に同じ液剤を供給しても良い。
【００８８】
１つの液剤フィーダ２０が備える液剤吐出ノズルの数は、１つに限らず、複数であっても良い。液剤フィーダ２０が１つのみのノズルを備える場合であっても、図１に示したように、液剤フィーダ２０をＸ軸及びＹ軸に駆動するすることにより、ベース１２上の所望する位置に液剤を付与することができる。
【００８９】
液剤フィーダ２０が複数のノズルを有する場合、全てのノズルが同じ液剤を吐出しても良いし、ノズルごとに異なる液剤を吐出しても良い。１つの液剤を吐出するノズルの数が多いほど、処理速度が向上する。
【００９０】
複数のノズルの配置に特に制約はないが、直線又は曲線に沿った一列配置や格子点状配置が好ましい。ノズルの配置は液剤フィーダ２０の移動方向を考慮して決定するのが好ましい。
【００９１】
Ｙ軸方向において、ベース１２の寸法より広い範囲にわたって複数のノズルを配置すれば、液剤フィーダ２０のＹ軸方向の移動を省略できる可能性がある。例えば、複数のノズルを、Ｙ軸方向に、造形テーブル１０の幅と同じ範囲にわたって配置すれば、液剤フィーダ２０をＸ軸に方向に１度移動するだけで任意のサイズのベース１２上の任意の位置に液剤を付与することができる。
【００９２】
あるいは、複数のノズルを造形テーブル１０の全領域に対応する範囲内に格子点状に配置すれば、液剤の付与時に液剤フィーダの移動を省略できる可能性がある。但し、この場合、粉体を付与する際に液剤フィーダを退避させる必要がある。
【００９３】
更に、液剤フィーダ２０のＺ軸方向の位置を変化させる機構や、液剤フィーダ２０をＸ軸及び／又はＹ軸方向に移動させる機構全体を水平面内で回転駆動する機構を設けても良い。
【００９４】
異なる液剤を異なるノズルにそれぞれ供給し、個々のノズルの吐出量を独立して制御しても良い。例えば、色調が異なる複数の液剤を使用する場合には、個々のノズルの吐出量を変化させることで部位により色調が変化した立体構造物を製作することができる。また、固結後の物性が互いに異なるように調整した複数の液剤を使用する場合には、個々のノズルの吐出量を変化させることで部位により物性が変化した立体構造物を製作することができる。
【００９５】
［液剤固結方法］
液剤は重合することにより粉体とともに固結する。液剤を重合させる方法としては、特に制限はないが、化学重合、光重合、熱重合、紫外線重合、近赤外線重合、遠赤外線重合、超音波重合など工業界において広く普及している任意の方法をひとつ、あるいは複数用いることができる。
【００９６】
液剤を化学重合させるためには、例えば、粉体に過酸化ベンゾイルを配合し、液剤に３級アミン、バルビツール酸などを配合しておくことが好ましい。これにより、付着した液剤上に粉体が散布され、液剤と粉体とが接触すると、液剤が粉体に含浸され、粉体が膨潤し、液剤と粉体とに夫々配合した化学重合触媒が接触することで化学重合が起こって硬化する。この場合、液剤が付与された部分でのみ重合硬化し、液剤が付与されなかった部分では重合硬化しない。したがって、液剤が付与されず、その結果、固結されなかった不要な粉体を回収して再度ベース１２上に散布することができる。
【００９７】
粉体及び／又は液剤を予め加熱しておき、液剤が粉体に含浸したときに熱エネルギーで化学重合を促進させることもできる。
【００９８】
液剤を加熱する方法は特に制限はなく、目的に応じて自由に選択することが可能である。例えば、液剤フィーダ２０の液剤吐出ノズル２１にヒーターを設置しても良い。
【００９９】
ノズルにヒーターを設置することは、副次的に液剤の粘度を低下させるという効果をもたらす。これにより、常温では射出には適さないような高い粘度の液剤を射出することが可能になる。常温では射出に適さないような高い粘度の液剤としては、例えばフィラーやポリアルキルメタアクリレートを含有あるいは溶解させた液剤や、液剤を構成する一部の液状成分が高粘度液体であるため、全体の粘度が高くなった液剤などが挙げられる。
【０１００】
化学重合法では一層の積層ごとに光を照射するなどの重合操作を行う必要がない。従って、立体構造物の製作中に重合操作のための時間が不要になり、省力化と製作時間の短縮を図ることができる。
【０１０１】
従来から樹脂材料の重合硬化に用いられている１又は複数の重合方法を併用することももちろん可能である。例えば造形時は化学重合法によって重合硬化を進行させ、造形終了後に全体を加熱して最終重合させることで未反応モノマーの減少や物性の更なる向上等を図ることができる。
【０１０２】
液剤を化学重合させる場合には、液剤を重合させるための特別な装置が不要である。液剤と粉体とが化学重合反応によって硬化すると、空気に触れている表層より深さ５００μｍ（更には３００μｍ、特に２００μｍ）の範囲内に未重合層が残存する。その後、この上に次層を積層すると、下層の表層に存在する上記未重合層と上層とが、上層の化学重合反応によって一体的に重合し硬化する。
【０１０３】
液剤を光重合させる場合には、ベース１２に光を照射できるように光照射器を位置と向きを調整して設置する。必要であればコンピュータを含む光照射方向制御装置を設けることも可能である。ベース１２の上方より液剤を吐出し、次いで、粉体を散布して、粉体に液剤を含浸させた後、光を照射して重合、硬化させる。この場合には液剤にのみ光重合触媒を配合しておけば、液剤が付与された部分だけが重合硬化し、液剤が付与されなかった部分は重合硬化しない。したがって、液剤が付与されず、その結果、固結されなかった不要な粉体を回収して再度ベース１２上に散布することができる。
【０１０４】
液剤を熱重合させる場合には、例えば過酸化ベンゾイルなど熱を加えることでラジカルを発生する重合開始材を液剤にのみ配合しておく。そして、加熱された粉体を散布する。液剤は粉体による熱により重合し、硬化する。液剤が付与されなかった部分は重合硬化しない。
【０１０５】
液剤を紫外線、近赤外線、又は遠赤外線を用いて重合させる場合には、ベース１２の任意の場所に所定波長のビームを照射できるように光線照射装置を位置と向きを調整して設置する。必要であればコンピュータを含む光照射方向制御装置を設けることも可能である。ベース１２の上方より液剤を吐出し、次いで、粉体を散布して、粉体に液剤を含浸させた後、細い光ビームを所望位置に照射して重合エネルギーを印加して、ビームが照射された部分のみを重合、硬化させる。
【０１０６】
近赤外線を用いる場合には、例えば過酸化ベンゾイルなど熱を加えることでラジカルを発生する重合開始材を液剤及び／又は粉体に配合しておく。
【０１０７】
紫外線を用いる場合には、液剤に周知の紫外線重合開始材（例えばベンゾインメチルエーテルなど）を適量添加しておく。この場合、使用される液剤としては、歯科用構造材を製作する場合には、歯科用として紫外線重合の使用実績があるものであれば何ら制限を設けずに用いることが出来る。
【０１０８】
ビームを部分的に照射するのではなく、全体に同時に照射することも可能である。この場合は、液剤のみに重合開始剤を配合し、上記の光重合を行うのと同様の操作を行う。
【０１０９】
樹脂材料の重合硬化法として従来より用いられている、複数の重合方法を併用して重合硬化させることももちろん可能である。例えば光重合と化学重合とを組み合わせて、光が到達しない部分では化学重合にて硬化させ、一般的に化学重合では重合性が低下する表面近傍では光重合で十分に硬化させるというように、夫々の欠点を夫々の利点で補うような重合方法を用いることができる。
【０１１０】
［コンピュータ］
積層造形装置は、各種情報を記憶し、演算し、積層造形装置を構成する各要素の動作を制御するために、コンピュータを備える。ハードウェアに関しては、広く普及している一般的なパーソナルコンピュータが使用できる。ソフトウェアに関しては、得ようとする立体構造物の形状を記憶、編集、保持、保存する機能と、異なる材料を使い分けるための演算機能と、形状のデータに基づいて積層造形装置の各要素の制御データを生成する機能と、生成した制御データにしたがって各要素を制御して立体構造物を自動的に製作する機能とを備えることが好ましい。
【０１１１】
コンピュータを用いて、得ようとする立体構造物の３次元形状データを作成しても良い。例えば、予め作製した模型などの形状を計測することにより、またはＣＡＤの使用などにより形状データを作成できる。また、形状計測データをＣＡＤや他のソフトを用いて編集して形状データを作成することも勿論可能である。
【０１１２】
形状計測のために３次元計測ユニット５０を利用しても良い。例えば、造形テーブル１０上にベース１２を載置して、立体構造物が形成される面の形状を３次元計測ユニット５０を用いて測定しても良い。この測定データを、得ようとする立体構造物の３次元形状データの作成に利用することができる。
【０１１３】
３次元形状データに、内部構造データを加えても良い。また、色調や物性に関するデータを加えても良い。このとき、色調や物性は、立体構造物全体で均一である必要はなく、各部で異ならせても良い。更に、グラデーション様に色調や物性を順次変化させても良い。各部の色調を決定する際に、機械測色装置のデータを用いることもできる。設定された色調を再現できるように、液剤の選択と吐出量とが演算され、液剤吐出制御データに付加される。
【０１１４】
このようにして作成した３次元形状データを一定ピッチの複数の水平面で切断して、液剤吐出制御データが作成される。このときのピッチは一回の積層高さと同じに設定される。使用する液剤と粉体の組み合わせによっては、膨潤や化学反応等による膨張あるいは収縮が生じる。これらを考慮して１層の固結部層を形成するための液剤及び粉体の付与量が決定される。
【０１１５】
コンピューターは、各層の液剤吐出制御データに基づいて、液剤フィーダ２０の位置と、液剤の吐出とを制御する。
【０１１６】
必要な精度と速度で粉体を積層するために、コンピューターは、粉体フィーダ３０の移動、粉体落下の開始と停止、粉体貯留タンクから粉体フィーダ３０への粉体の供給をも制御することが好ましい。
【０１１７】
コンピュータは、更に、ネットワークを介して必要なデータのやり取りをする機能、３次元計測ユニット５０からのデータを処理する機能、各部の状態をモニタする機能、必要に応じて警告を発したり各要素の動作を緊急停止したりする安全機能などを有していても良い。
【０１１８】
［後処理］
得られた立体構造物６０のベース１２に接していた面にはベース１２の表面性状が忠実に反映される。ベース１２の表面が滑らかであれば、これと接していた面には積層による段差や粉体による微細な凹凸は極めて少ない。但し、必要に応じて更に表面仕上げ処理を行っても良い。また、立体構造物６０のベース１２に接していた面以外の面に形成された積層による段差や微細な凹凸を解消するために各種表面仕上げ処理を行っても良い。
【０１１９】
積層段差や凹凸を解消するためには、段差解消材を塗布して段差や凹凸を埋め、研削、研磨して仕上げる方法、段差解消材を含有する液に立体構造物を浸漬して引き上げ、研削、研磨して仕上げる方法、超音波振動子を段差や凹凸のある部分に当てて部分的に溶解させることで表面を滑らかにし研磨して仕上げる方法などを好適に用いることができる。
【０１２０】
段差解消材としては、造形に用いたのと同種の粉体と液剤を混合したものを基本的な組成とし、流動性やチクソトロピー性を目的に応じて最適な値に調整したものを用いることが望ましい。
【０１２１】
更に、必要であれば表面滑沢剤への浸漬処理や研磨を行い、段差や凹凸の解消と表面滑沢性を付与してもよい。
【０１２２】
（実施の形態２）
図４は、本発明の実施の形態２に係る積層造形装置２の概略構成を示した斜視図である。図１と同一の構成要素には同一の符号を付してあり、これらについての詳細な説明を省略する。
【０１２３】
以下、本実施の形態２を、実施の形態１との相違点を中心に説明する。
【０１２４】
本実施の形態２に係る積層造形装置２は、実施の形態１に係る積層造形装置１が有していた、造形テーブル１０を反転させるアーム４０に代えて、造形テーブル１０上のベース１２に向かってエア７２を吹き付けるエアノズル７０を有している。
【０１２５】
液剤により固結されなかった余剰の粉体を除去するために、実施の形態１では図３Ｃに示すように造形テーブル１０を反転させて落下させた。これに対して、本実施の形態２では、エアノズル７０からエア７２をベース１２に向かって吹き付けて、空気圧により余剰の粉体を吹き飛ばして除去する。
【０１２６】
ベース１２の全面にエア７２が吹き付けられるように、エアノズル７０の位置やエア７２の吹き出し方向が可変であっても良い。
【０１２７】
造形テーブル１０に造形テーブル１０を振動させる振動発生装置が設けられていても良い。造形テーブル１０を振動させながらエア７２を吹き付けることにより、余剰の粉体の除去を容易且つ短時間に行うことができる。
【０１２８】
本実施の形態２は、余剰の粉体の除去方法が実施の形態１と異なる点を除いて、実施の形態１と同様であり、実施の形態１と同様の効果を奏する。
【０１２９】
なお、実施の形態１において、図３Ｃに示すように造形テーブル１０を反転させた状態で、本実施の形態２に示すエアノズル７０を用いて余剰の粉体３４を吹き飛ばして除去しても良い。これにより、余剰の粉体のより完全な除去が可能になる。
【０１３０】
（実施の形態３）
図５は、本発明の実施の形態３に係る積層造形装置３の概略構成を示した斜視図である。図１と同一の構成要素には同一の符号を付してあり、これらについての詳細な説明を省略する。
【０１３１】
以下、本実施の形態３を、実施の形態１との相違点を中心に説明する。
【０１３２】
本実施の形態３に係る積層造形装置３は、実施の形態１に係る積層造形装置１が有していた、造形テーブル１０を反転させるアーム４０に代えて、造形テーブル１０上のベース１２の周囲のエア８２を吸引する吸引ノズル８０を有している。
【０１３３】
液剤により固結されなかった余剰の粉体を除去するために、実施の形態１では図３Ｃに示すように造形テーブル１０を反転させて落下させた。これに対して、本実施の形態３では、エア８２とともに余剰の粉体を吸引ノズル８０に吸引して除去する。
【０１３４】
ベース１２の全面からエア８２を吸引できるように、吸引ノズル８０の位置やエア８２の吸引方向が可変であっても良い。
【０１３５】
造形テーブル１０に造形テーブル１０を振動させる振動発生装置が設けられていても良い。造形テーブル１０を振動させながら余剰の粉体を吸引することにより、余剰の粉体の除去を容易且つ短時間に行うことができる。
【０１３６】
本実施の形態３は、余剰の粉体の除去方法が実施の形態１と異なる点を除いて、実施の形態１と同様であり、実施の形態１と同様の効果を奏する。
【０１３７】
なお、実施の形態１において、図３Ｃに示すように造形テーブル１０を反転させた状態で、本実施の形態３に示す吸引ノズル８０を用いて余剰の粉体３４を吸引して除去しても良い。これにより、余剰の粉体のより完全な除去が可能になる。
【０１３８】
また、実施の形態２に示したエアノズル７０を用いて余剰の粉体を吹き飛ばし、同時に、飛散した粉体を本実施の形態３に示した吸引ノズル８０で吸引しても良い。
【０１３９】
更に、実施の形態１において、図３Ｃに示すように造形テーブル１０を反転させた状態で、実施の形態２に示したエアノズル７０を用いて余剰の粉体を吹き飛ばし、同時に、飛散した粉体を本実施の形態３に示した吸引ノズル８０で吸引しても良い。
【０１４０】
（実施の形態４）
図６は、本発明の実施の形態４に係る積層造形装置４の概略構成を示した斜視図である。図１と同一の構成要素には同一の符号を付してあり、これらについての詳細な説明を省略する。
【０１４１】
以下、本実施の形態４を、実施の形態１との相違点を中心に説明する。
【０１４２】
本実施の形態４に係る積層造形装置４は、造形テーブル１０の水平方向の周囲を取り囲む壁を備えた升９０と、水平面と平行な升９０の上面９２上をＸ軸方向に摺動する均し部材９５とを備える。また、造形テーブル１０は、図示しない駆動機構により升９０の内壁面上を摺動しながら一定ピッチで下降される。粉体フィーダ３０は、Ｙ軸方向において、造形テーブル１０の寸法と略同一の粉体散布幅を有する。粉体フィーダ３０は、粉体を散布しながらＸ軸方向に移動することにより、造形テーブル１０の全面に粉体を散布する。図６では、構造を理解しやすくするために、升９０を二点鎖線で示して、その中の造形テーブル１０を透視している。
【０１４３】
このような積層造形装置４を用いた立体構造物の製作方法を図７Ａ〜図７Ｃ及び図８Ａ〜図８Ｃを用いて説明する。
【０１４４】
まず、実施の形態１で説明した方法により、図７Ａに示すように、ベース１２上に液剤と粉体とが固結して形成された複数の固結部層が積層された下部構造物６２を作成する。ここで、ベース１２の頂部１２ａは下部構造物６２により完全に覆われており、下部構造物６２の上面６２ａは、升９０の上面９２と同一高さである。
【０１４５】
次いで、造形テーブル１０を升９０に対してＺ軸方向に相対的に単位ピッチだけ下降させる。そして、図７Ｂに示すように、粉体フィーダ３０から升９０内に、下部構造物６２が完全に埋まるほどに粉体３４を散布する。
【０１４６】
次いで、図７Ｃに示すように、均し部材９５を、その下端を升９０の上面９２に接触させながらＸ軸方向に移動させる。その結果、粉体３４の上面を升９０の上面９２と同一高さに規制する。これにより、下部構造物６２上に均一厚さの粉体層が形成される。均し部材９５で除去された粉体は、図示しない回収トレイ上に落下して回収される。
【０１４７】
次いで、図８Ａに示すように、液剤フィーダ２０を移動させながら、所定の位置にて粉体３４に向かって液剤を吐出する。液剤が付与された部分では、液剤により粉体３４を膨潤させ、液剤を重合させて、液剤と粉体とを固結させて固結部６３が形成される。固結部６３は、下部構造物６２とも一体化される。
【０１４８】
次いで、造形テーブル１０を升９０に対してＺ軸方向に相対的に単位ピッチだけ下降させる。そして、上記図７Ａから図８Ａと同様の工程を必要回数だけ繰り返して行い、下部構造物６２上に液剤と粉体とが固結して形成された固結部層を順に積層していく。液剤フィーダ２０による液剤の付与位置を変えれば、各固結部層の形状を変えることができる。
【０１４９】
図８Ｂに示すように、得ようとする立体構造物６０の頂部まで固結部層の積層が完了した後、アーム４０を介して造形テーブル１０を反転させる。これにより、造形テーブル１０上の固結されていない余剰の粉体３４が重力により落下して除去される。その結果、図８Ｃに示すように、ベース１２上に、液剤と粉体とが固結した多数の固結部層からなる立体構造物６０を形成することができる。
【０１５０】
実施の形態１と同様に、造形テーブル１０上の立体構造物６０の完成形状を、３次元計測ユニット５０を用いて計測しても良い。
【０１５１】
その後、立体構造物６０をベース１２から分離して、所望する形状を有する立体構造物６０を得る。必要により表面仕上げ処理を行い、表面滑沢性を向上させても良い。
【０１５２】
本実施の形態では、ベース１２の頂部が隠れるまでは、実施の形態１で説明した図３Ａ〜図３Ｃの工程を繰り返して下部構造物６２を形成し、その後、本実施の形態で説明した図７Ａ〜図８Ａの工程を繰り返して行い、立体構造物６０を完成させる。図７Ａ〜図８Ａの工程のように、升９０内に粉体３４を充填した後、所望する位置に液剤を付与して液剤と粉体とを固結するので、図８Ｃに示すアンダーカット（上部より窪んだ側壁の部分）６４を有する形状等、複雑な形状の立体構造物６０を容易に作成することができる。
【０１５３】
上記の例では、図８Ｂの後の余剰の粉体３４の除去を造形テーブル１０を反転させることにより行ったが、実施の形態２で説明したようにエアを吹き付けて空気圧により余剰の粉体３４を吹き飛ばして除去しても良いし、実施の形態３で説明したようにエアとともに余剰の粉体３４を吸引して除去しても良い。或いは、これらを組み合わせて余剰の粉体３４を除去しても良い。更に、余剰の粉体３４を除去する際に、振動発生装置により造形テーブル１０を振動させても良い。
【０１５４】
上記の例では、升９０に対して造形テーブル１０を所定ピッチずつ下降させたが、造形テーブル１０の高さを一定として、升９０を所定ピッチずつ上昇させても良い。あるいは、テーブル１０と升９０とをＺ軸に沿って逆方向に移動させても良い。
【０１５５】
下部構造物６２上に積層される固結部層の１層あたりの積層厚みは、升９０と造形テーブル１０とのＺ軸方向の相対的移動ピッチに依存する。積層厚み（即ち、移動ピッチ）は立体構造物の用途に応じて変更することができる。積層厚みを小さくすれば、解像度が増加し、寸法精度や表面平滑性が向上する。
【０１５６】
使用する液剤と粉体の組み合わせによっては、膨潤や化学反応等による膨張あるいは収縮が生じる。これらを考慮して造形テーブル１０のＺ軸方向の相対的移動ピッチが設定される。
【０１５７】
上記の例では、粉体フィーダ３０をＸ軸に沿って移動させた後、均し部材９５をＸ軸に沿って移動させたが、粉体フィーダ３０の移動方向の下流側に均し部材９５を一体に取り付けて、図７Ｂの動作と図７Ｃの動作とを同時に行っても良い。あるいは、粉体フィーダ３０の移動方向の両側に均し部材９５を取り付けても良い。この場合には、粉体フィーダ３０をＸ軸に沿っていずれの向きに移動させても、一度の移動で図７Ｂの動作と図７Ｃの動作とを同時に行うことができる。
【０１５８】
（実施の形態５）
図９は、本発明の実施の形態５に係る積層造形装置５の概略構成を示した斜視図である。図示したように、互いに直交する水平方向軸をＸ軸及びＹ軸、上下方向軸をＺ軸とする。
【０１５９】
ベース１７に、Ｙ軸方向を長手方向とする棒状部材（保持機構）１５の一端が挿入されて、ベース１７が保持される。立体構造物はベース１７上に積層形成される。棒状部材１５の他端には、図示しない回転駆動機構が連結されており、棒状部材１５及びベース１７は矢印１６の方向に回転させられる。
【０１６０】
液剤フィーダ（液剤付与装置）２５はベース１７の上方から液剤を吐出し落下させる。液剤フィーダ２５の下面には、少なくともベース１７のＹ軸方向寸法以上にわたって複数の吐出ノズル２６がＹ軸方向に並んで配置されている。複数の吐出ノズル２６のそれぞれは、互いに独立して制御されて液剤を下方に落下させる。液剤フィーダ２５は図示しない駆動機構によりＸ軸方向に駆動される。即ち、液剤フィーダ２５は、ベース１７上に移動して、ベース１７の上方からＹ軸方向の所望する位置に液剤を落下させることができる。
【０１６１】
粉体フィーダ（粉体付与装置）３５は、少なくともベース１７のＹ軸方向寸法以上の粉体散布幅を有する。粉体フィーダ３５は図示しない駆動機構によりＸ軸方向に駆動される。即ち、粉体フィーダ３５は、ベース１７上に移動して、ベース１７の上方から粉体を落下させることができる。
【０１６２】
ベース１７の上方には、３次元計測ユニット５０が設けられている。
【０１６３】
このような積層造形装置５を用いた立体構造物の製作方法を説明する。
【０１６４】
まず、図９に示すように、棒状部材１５にベース１７を固定する。例えば、クラウン、ブリッジ、フレームなどの歯冠補綴物を製作する場合、ベース１７は患者の支台歯形状を複製したものである。
【０１６５】
この際、３次元計測ユニット５０を用いて、棒状部材１５上にベース１７を正確に位置決めしても良い。また、棒状部材１５及びベース１７を矢印１６の方向に回転させながら、３次元計測ユニット５０を用いて、ベース１７の外形状を計測しても良い。
【０１６６】
次に、図１０Ａに示すように、液剤フィーダ２５をベース１７の上方に移動して、棒状部材１５及びベース１７を矢印１６の方向に回転させながら、複数の吐出ノズル２６から液剤２７を下方に落下させる。このとき、ベース１７の回転に同期して液剤フィーダ２５の複数の吐出ノズル２６をそれぞれ独立して制御する。その結果、ベース１７の外表面の所望の位置にのみ液剤２７を付着させる。
【０１６７】
ベース１７を１回転させて液剤２７の付着が完了すると、液剤フィーダ２５を退避させて、粉体フィーダ３５をベース１７上に移動させる。そして、図１０Ｂに示すように、棒状部材１５及びベース１７を矢印１６の方向に回転させながら、粉体フィーダ３５のスリット３６から粉体３７を下方に落下させる。このとき、図１０Ａの工程において液剤２７が付着された部分では、液剤２７により粉体３７が膨潤され、液剤２７が重合されて、液剤と粉体とが固結して固結部６６が形成される。液剤が付着していない部分に落下した粉体３７は、ベース１７が回転することにより重力により落下して除去される。ベース１７が１回転すると、スリット３６を閉じ、粉体３７の散布を停止し、粉体フィーダ３５を退避させる。
【０１６８】
図１０Ａから図１０Ｂと同様の工程を必要回数だけ繰り返して行い、ベース１７上に液剤と粉体とが固結して形成された固結部層を順に積層していく。液剤フィーダ２５による液剤の付与位置を変えれば、各固結部層の積層位置を変えることができる。その結果、図１０Ｃに示すように、ベース１７上に、液剤と粉体とが固結した多数の固結部層からなる立体構造物６５を形成することができる。
【０１６９】
棒状部材１５上の立体構造物６５の完成形状を、３次元計測ユニット５０を用いて計測しても良い。
【０１７０】
その後、立体構造物６５をベース１７から分離して、所望する形状を有する立体構造物６５を得る。必要により表面仕上げ処理を行い、表面滑沢性を向上させても良い。
【０１７１】
実施の形態１と同様に、本実施の形態においても、ベース１７上に、最初に液剤を付与し、次いで粉体を散布し、その後、液剤と粉体とを固結させる。即ち、ベース１７の表面には、最初に、粉体ではなく液剤が付与される。従って、最終的に得られる立体構造物６５のうち、ベース１７と接触していた面は、ベース１７の表面がほぼ忠実に転写される。よって、ベース１７の表面を滑らかな面にしておけば、これと同様な滑らかな面を得ることができる。
【０１７２】
例えば、クラウン、ブリッジ、フレームなどの歯冠補綴物を製作する場合、患者の支台歯形状を再現したベース１７を用いれば、支台歯に接する面を平滑にすることができる。従って、この面に対する表面平滑化処理を省略又は簡素化することができる。また、表面平滑化処理による寸法精度の悪化を低減できるので、適合性が悪化しない。以上により、高度に熟練した作業者によらずに、歯科用構造材を短時間で高精度に製作できる。
【０１７３】
本発明において、積層厚み（１層の固結部の厚み）は立体構造物の用途に応じて変更することができる。積層厚みを小さくすれば、解像度が増加し、寸法精度や表面平滑性が向上する。
【０１７４】
実施の形態１に示した積層造形装置１のアーム４０を、本実施の形態５の棒状部材１５として用いても良い。即ち、実施の形態１に示した積層造形装置１において、アーム４０の先端に取り付けられた造形テーブル１０を脱着可能とする。作成しようとする立体構造物に応じて、造形テーブル１０を取り外し、代わりにベース１７を取り付ける。この際、アーム４０とベース１７との間に、適当な接続部材を介在させても良い。これにより、総義歯のような大型構造物は造形テーブル１０を用いて製作し、歯冠補綴物のような小型構造物はベース１７を用いて製作することができる。従って、各種サイズの立体構造物を共通する積層造形装置で製作することができる。
【０１７５】
本発明において、ベース１２，１７の材料は、特に限定はないが、例えば石膏を用いることができる。ベース１２，１７の表面には、液剤２２，２７が浸透するのを防止し、且つ、立体構造物６０，６５を分離しやすくするために、ワセリンなどの離型材を塗布することが好ましい。また、歯冠補綴物等を製作する場合には、患者の支台歯との間のセメント層（接着剤層）を確保するために、ベース１２，１７の表面に歯科用のスペイサを塗布することが好ましい。
【０１７６】
（実施の形態６）
図１１は、本発明の実施の形態６に係る積層造形装置６の概略構成を示した斜視図である。図１と同一の構成要素には同一の符号を付してあり、これらについての詳細な説明を省略する。
【０１７７】
以下、本実施の形態６を、実施の形態１との相違点を中心に説明する。
【０１７８】
本実施の形態６に係る積層造形装置６は、実施の形態１に係る積層造形装置１が有していた粉体フィーダ３０に代えて、複層スクリーン型粉体フィーダ（以下、単に「粉体フィーダ」という）２００を有している。
【０１７９】
３次元計測ユニット５０及び粉体フィーダ２００のうちの一方又は両方は、Ｘ軸及びＹ軸を含む面（ＸＹ面）と平行な方向に移動可能であり、必要に応じて造形テーブル１０の上方に配置したり、造形テーブル１０の上方から退避させたりすることができる。３次元計測ユニット５０及び粉体フィーダ２００のうちの一方又は両方は、液剤フィーダ２０をＹ軸方向に駆動する一軸案内機構２８とともに図示しない駆動機構によりＸ軸方向に駆動されても良い。
【０１８０】
図１２は、粉体フィーダ２００の分解斜視図である。粉体フィーダ２００は、粉体貯留槽２０１と、円形状の３枚のスクリーン２０２，２０３，２０４とを備える。粉体貯留槽２０１は、ベース１２上に散布される粉体を貯留するための略カップ状の容器であり、その下面には円形の開口が形成されている。スクリーン２０２，２０３，２０４は、この順にＺ軸方向に重ね合わされて粉体貯留槽２０１の下面の開口を塞ぐように粉体貯留槽２０１に装着されている。スクリーン２０２，２０３，２０４のそれぞれには粉体が通過することができる多数の微細な貫通孔（以下、「微細孔」という）が形成されている。
【０１８１】
スクリーン２０２，２０３，２０４のうち、上下のスクリーン２０２，２０４は粉体貯留槽２０１に固定された静止スクリーンであり、中間のスクリーン２０３は矢印２０３ａの方向にＸＹ面内にて回転駆動される被駆動スクリーンである。スクリーン２０３を回転させるための駆動源は特に制限はなく、例えばモータ、ぜんまい、振り子などを用いることができる。スクリーン２０３はその駆動源に直接接続されていても良く、あるいは減速歯車などの動力伝達機構を介して接続されていても良い。更に、スクリーン２０３とその駆動源とは近接して配置されていても、離れて配置されていても良い。離れて配置されている場合には、リンク機構、チェーンベルトなどを介して駆動源の駆動力をスクリーン２０３に伝達することができる。
【０１８２】
中間のスクリーン２０３が静止している状態では、粉体貯留槽２０１内の粉体は、スクリーン２０２，２０３，２０４を通過してこれより下に落下することはない。一方、スクリーン２０３を回転させると、粉体は、スクリーン２０２，２０３，２０４のそれぞれの微細孔を通過してこれより下に落下する。その後、スクリーン２０３の回転を停止すれば、粉体の落下は停止しする。即ち、スクリーン２０２，２０３，２０４は、粉体貯留槽２０１内の粉体の造形テーブル１０上への落下を制御することができる。
【０１８３】
実施の形態１と同様に、液剤フィーダ２０にてベース１２上に液剤を付与した後、液剤フィーダ２０を造形テーブル１０の上方から退避させ、次いで、粉体フィーダ２００を造形テーブル１０の上方に移動して、ベース１２上に粉体を散布する。
【０１８４】
スクリーン２０２，２０３，２０４のそれぞれにおいて、多数の微細孔が形成された領域は造形テーブル１０の上面よりも大きい。従って、造形テーブル１０の上方に粉体フィーダ２００を移動した後は、スクリーン２０３を回転させるだけで、造形テーブル１０の全面にわたって粉体を散布することができる。即ち、造形テーブル１０の全面に粉体を散布するためには、実施の形態１では粉体フィーダ３０をＸ軸方向に移動させる必要があったが、本実施の形態では粉体フィーダ２００を移動させる必要はない。また、粉体の散布の制御は、実施の形態１ではスリット３２の開閉を制御する必要があったが、本実施の形態ではスクリーン２０３の回転を制御すれば良い。このように、本実施の形態では、大きな領域に一度に粉体を散布することができ、しかも、粉体の散布を簡単な機構により制御することができる。
【０１８５】
必要な量の粉体を散布した後、スクリーン２０３の回転運動を停止して、粉体の散布を止める。
【０１８６】
スクリーン２０３の回転運動は、一方向のみの連続回転であっても良く、回転方向が変化する反転運動であっても良い。あるいは、回転運動ではなく、ＸＹ面と平行な一方向に沿った往復運動であっても良い。
【０１８７】
スクリーン２０２，２０３，２０４のそれぞれに形成される微細孔の開口径は、使用される粉体に含まれる粒子の最大径の２倍以上、特に６倍以上であることが好ましい。
【０１８８】
スクリーン２０２，２０３，２０４のそれぞれに形成される微細孔の開口形状は、上述した粉体の落下を制御することができれば特に制限はない。例えば図１３Ａに示すような円形のほか、楕円形、矩形、各種多角形、又はスリット等であっても良い。あるいは、図１３Ｂに示すような円弧状、図１３Ｃに示すような形状が異なる複数種類の開口の組み合わせ、又は図１３Ｄに示すような縦横方向に延びた多数の線材により形成されたメッシュなど、いずれであっても良い。また、開口率（スクリーンの単位面積に対する微細孔の合計面積の比率）や微細孔の数も、上述した粉体の落下を制御することができれば特に制限はない。
【０１８９】
スクリーン２０２，２０３，２０４が、上記のような多数の微細孔を有する部材ではなく、複数の板材が互いに離間して配置された羽根車状部材であっても良い。この場合、板材の数、形状、寸法などは、上述した粉体の落下を制御することができれば特に制限はない。
【０１９０】
スクリーン２０２，２０３，２０４は、互いに同一であっても異なっていても良い。
【０１９１】
図１２では粉体フィーダ２００が３枚のスクリーン２０２，２０３，２０４を備える例を示したが、スクリーンの数は３に限定されない。スクリーンの数が少ないほど、構造を簡略化でき、目詰まりがしにくいので清掃が容易であり、また、スクリーンの交換作業も容易である。スクリーンの数が多いほど、これらの利点は得にくくなるが、被駆動スクリーンの停止時での粉体の漏れが少なくなり、粉体散布の開始及び停止の制御性が向上する。本発明では、スクリーンの数は２以上であることが必要である。その上限は、特に制限はないが、６以下であることが実用上好ましい。複数のスクリーンのうち、駆動されるスクリーンと駆動されないスクリーンとは交互に配置されることが好ましい。
【０１９２】
隣り合うスクリーンは、互いに接触していても離間していても良い。接触させる場合には、その接触圧は実用できる範囲で自由に設定することができる。隣り合うスクリーン間の距離や接触圧を調整することにより、粉体の散布量、散布の開始及び停止の制御性、被駆動スクリーンの停止時での粉体の漏れなどを調整することができる。
【０１９３】
スクリーンの材料は特に制限はなく、例えば金属、紙、ガラス、布、プラスチックなどの中から適宜選択することができる。また、粉体の付着防止、腐食防止、強度向上、耐摩耗性向上などの目的に応じて、スクリーンにメッキ、塗装、研磨、熱処理、薬剤処理などの処理を施すことができる。
【０１９４】
（実施の形態７）
図１４は、本発明の実施の形態７に係る積層造形装置７の概略構成を示した斜視図である。図１と同一の構成要素には同一の符号を付してあり、これらについての詳細な説明を省略する。
【０１９５】
以下、本実施の形態７を、実施の形態６との相違点を中心に説明する。
【０１９６】
本実施の形態７に係る積層造形装置７は、実施の形態６に係る積層造形装置６と同様に、複層スクリーン型粉体フィーダ（以下、単に「粉体フィーダ」という）２１０を有している。但し、実施の形態６の粉体フィーダ２００と異なり、本実施の形態７の粉体フィーダ２１０では、粉体貯留槽の下面に設けられた開口が長方形であり、この開口に取り付けられる複数のスクリーンの形状も長方形である。粉体貯留槽の開口及び複数のスクリーンの形状が異なる以外は、構成及び機能に関して、本実施の形態の粉体フィーダ２１０は実施の形態６の粉体フィーダ２００と同じである。複数のスクリーンの多数の微細孔が形成された領域及び粉体貯留槽の開口のそれぞれの長軸方向はＹ軸方向と平行であり、それぞれの長軸方向寸法は造形テーブル１０の上面よりも大きい。
【０１９７】
粉体フィーダ２１０は、実施の形態１に示した粉体フィーダ３０と同様に設置されて使用される。即ち、造形テーブル１０の上方からの粉体の落下は、粉体フィーダ２１０をＸ軸方向に移動させながら行う。但し、粉体の落下の開始及び停止は実施の形態６と同様に被駆動スクリーンの駆動を制御することにより行う。スクリーンの形状が長方形であるので、被駆動スクリーンは、実施の形態６の回転運動ではなく、一方向（例えばＹ軸方向）に往復運動する。
【０１９８】
このようなＸ軸方向に移動する粉体フィーダ２１０は、造形テーブル１０の上方から光や熱を与えて粉体及び液剤を固結させる必要がある場合に、粉体フィーダ２１０を光や熱の照射範囲外に移動させることが容易に行えるという利点を有する。
【０１９９】
液剤フィーダ２０をＸ軸方向に移動する駆動機構（図示せず）に粉体フィーダ２１０を取り付けてもよい。これにより、粉体フィーダ２１０と液剤フィーダ２０とでＸ軸方向の駆動機構を共通化することができるので、駆動系及び制御系を簡単化でき、また部品の削減も可能になる。
【０２００】
粉体フィーダ２１０をＸ軸方向に移動する駆動機構と、液剤フィーダ２０をＸ軸方向に移動する駆動機構とを別個に設けると、粉体フィーダ２１０と液剤フィーダ２０との干渉を避けるために、両者のＺ軸方向における位置を異ならせる必要が生じるかも知れない。このような場合、気流の影響などにより、造形テーブル１０から遠くに配置されたフィーダから落下された粉体又は液剤を造形テーブル１０上の所望の位置に着地させることが困難となる可能性がある。粉体フィーダ２１０と液剤フィーダ２０とでＸ軸方向の駆動機構を共通化すれば、粉体フィーダ２１０と液剤フィーダ２０とが干渉することがないので、両者を造形テーブル１０に接近して配置することができるので、粉体及び液剤の着地位置精度が向上する。
【０２０１】
更に、実施の形態４で説明したように、造形テーブル１０上の粉体の上面を平面状に均す必要がある場合には、粉体フィーダ２１０の下端を図６の均し部材９５と同様に機能させてもよく、あるいは粉体フィーダ２１０に均し部材９５（図６参照）を取り付けてもよい。このような部材の複合化により、駆動系及び制御系を簡単化でき、また部品の削減が可能になる。
【０２０２】
（実施の形態８）
図１５は、複層スクリーン型粉体フィーダの別の実施形態の概略構成を示した斜視図である。この複層スクリーン型粉体フィーダ（以下、単に「粉体フィーダ」という）２２０は、粉体貯留槽２２１と、粉体貯留槽２２１の下面の開口（図示せず）を塞ぐように設けられた複数（例えば、２〜６枚）のスクリーンとを備える。複数のスクリーンのうちの１つは、帯状のスクリーンの両端が環状に接続されたエンドレススクリーン２２２であり、他のスクリーンは粉体貯留槽２２１の下面の開口を塞ぐように粉体貯留槽２２１に装着固定された静止スクリーンである。これらの複数のスクリーンのそれぞれには、実施の形態６で説明したような、粉体が通過することができる多数の微細な貫通孔（微細孔）が形成されている。
【０２０３】
エンドレススクリーン２２２は、４本のローラ２２３ａ，２２３ｂ，２２４ａ，２２４ｂにより、所定の位置に、所定の張力が印加された状態で保持されている。ローラ２２３ａは駆動機構２２５が接続された駆動ローラであり、ローラ２２３ｂ，２２４ａ，２２４ｂは自由に回転可能な従動ローラである。内側のローラ２２４ａ，２２４ｂは、粉体貯留槽２２１の下面にてエンドレススクリーン２２２の上側部分２２２ａと下側部分２２２ｂとを接近又は接触させている。
【０２０４】
エンドレススクリーン２２２は、駆動機構２２５により一方向に連続的に運動し又は往復運動する。これにより、エンドレススクリーン２２２の上側部分２２２ａと下側部分２２２ｂとが互いに逆方向に移動する。
【０２０５】
エンドレススクリーン２２２が静止している状態では、粉体貯留槽２２１内の粉体は、エンドレススクリーン２２２を通過してこれより下に落下することはない。一方、エンドレススクリーン２２２を駆動すると、粉体は、エンドレススクリーン２２２の微細孔を通過してこれより下に落下する。その後、エンドレススクリーン２２２の駆動を停止すれば、粉体の落下は停止する。このように、本実施の形態では、実施の形態６と同様に、粉体貯留槽２２１内の粉体の造形テーブル１０上への落下を制御することができ、しかもこれを、実施の形態６よりも簡単且つコンパクトな構成で行うことができる。
【０２０６】
また、エンドレススクリーン２２２を一方向に一定速度で連続的に運動させると、粉体は連続的に落下し、この粉体の単位時間当たりの落下量は一定である。一方、エンドレススクリーン２２２を往復運動させると、粉体の落下は、エンドレススクリーン２２２の運動方向が変化するときに一時的に停止するので、断続的となる。即ち、本実施の形態の粉体フィーダ２２０は、実施の形態７の粉体フィーダ２１０と異なり、連続的且つ安定的にに粉体を落下させることができる。
【０２０７】
図１６は粉体フィーダ２２０の一例の下面図である。２２１ａは粉体貯留槽２２１の下面に設けられた開口である。この開口２２１ａは円形であり、この開口２２１ａに取り付けられる静止スクリーン（図示せず）の微細孔の形成領域の形状も円形である。微細孔の形成領域の大きさは造形テーブル１０の上面と同じかこれよりも大きい。円形の開口２２１ａを有する粉体フィーダ２２０は、例えば実施の形態６と同様に、粉体フィーダ２２０を円形の造形テーブル１０の上方に静止させた状態で、造形テーブル１０上に粉体を散布することができる。造形テーブル１０が円形である場合、粉体貯留槽２２１に円形の開口２２１ａを設けることにより、粉体を無駄なく造形テーブル１０上に散布することができる。
【０２０８】
図１７は粉体フィーダ２２０の別の例の下面図である。２２１ｂは粉体貯留槽２２１の下面に設けられた開口である。この開口２２１ｂは長方形であり、この開口２２１ｂに取り付けられる静止スクリーン（図示せず）の微細孔の形成領域の形状も長方形である。微細孔の形成領域の長軸方向はＹ軸方向と平行であり、その長軸方向寸法は造形テーブル１０の上面のＹ軸方向寸法よりも大きい。長方形の開口２２１ｂを有する粉体フィーダ２２０は、例えば実施の形態７と同様に、粉体フィーダ２２０をＸ軸方向に移動させながら、造形テーブル１０上に粉体を散布することができる。あるいは、造形テーブル１０が長方形である場合には、これと同じかこれより大きな長方形の開口２２１ｂを粉体貯留槽２２１に設けることにより、粉体フィーダ２２０を静止させた状態で、粉体を無駄なく造形テーブル１０上に落下させることができる。
【０２０９】
図１８は、別の複層スクリーン型粉体フィーダ（以下、単に「粉体フィーダ」という）２３０の概略構成を示した側面図である。この粉体フィーダ２３０では、エンドレススクリーン２３２は、４本のローラ２３３ａ，２３３ｂ，２３３ｃ，２３３ｄにより粉体貯留槽２３１の周囲を取り囲むように、所定の張力が印加された状態で保持されている。４本のローラ２３３ａ，２３３ｂ，２３３ｃ，２３３ｄのうちの１本は駆動機構（図示せず）が接続された駆動ローラであり、残りは自由に回転可能な従動ローラである。粉体貯留槽２３１の下面の開口には、エンドレススクリーン２３２を挟むように、静止スクリーン２３４，２３５が粉体貯留槽２３１に固定されている。粉体が落下するためには、図１５に示した粉体フィーダ２２０では、粉体はエンドレススクリーン２２２を、その上側部分２２２ａと下側部分２２２ｂとで２回通過しなければならないが、図１８の粉体フィーダ２３０では、粉体はエンドレススクリーン２３２を１回通過すればよい。
【０２１０】
図１９は、更に別の複層スクリーン型粉体フィーダ（以下、単に「粉体フィーダ」という）２４０の概略構成を示した斜視図である。この粉体フィーダ２４０では、粉体貯留槽２４１がＹ軸と平行な方向から見たとき略「Ｊ」字形状を有している。粉体貯留槽２４１は、上側の粉体貯留部２４１ａと、下側の水平面と平行な粉体付与部２４１ｃと、これらの間の粉体供給路２４１ｂとを備える。粉体貯留部２４１ａの上方に向いた開口から投入された粉体は、粉体供給路２４１ｂを通って粉体付与部２４１ｃに達し、その下面の開口に設置された複数のスクリーンを通過して落下する。エンドレススクリーン２４２は、２本のローラ２４３ａ，２４３ｂにより粉体付与部２４１ｃの周囲を取り囲むように、所定の張力が印加された状態で保持されている。ローラ２４３ａは駆動機構２４５が接続された駆動ローラであり、ローラ２４３ｂは自由に回転可能な従動ローラである。粉体付与部２４１ｃの下面の開口には、図１８の粉体フィーダ２３０と同様に、エンドレススクリーン２４２を挟むように複数の静止スクリーンが粉体付与部２４１ｃに固定されている。粉体が落下するためには、図１８の粉体フィーダ２３０と同様に、粉体はエンドレススクリーン２４２を１回通過すればよい。図１８の粉体フィーダ２３０では、エンドレススクリーン２３２は粉体貯留槽２３１全体を取り囲んでいたのに対して、図１９の粉体フィーダ２４０では、エンドレススクリーン２４２は粉体貯留槽２４１の一部である粉体付与部２４１ｃのみを取り囲む。従って、図１９の粉体フィーダ２４０では、エンドレススクリーン２４２及びその周囲の寸法を小さくすることができる。図１９の粉体フィーダ２４０では、粉体貯留部２４１ａと、粉体供給路２４１ｂと、粉体付与部２４１ｃとが一体化されているが、粉体貯留部２４１ａと粉体付与部２４１ｃとをそれぞれ別個に製作し、その後、両者を硬質又は軟質のダクト又はチューブ等からなる粉体供給路２４１ｂで接続しても良い。
【０２１１】
図１１〜図１９は例示に過ぎず、本発明において複層スクリーン型粉体フィーダはこれらに限定されない。複層スクリーン型粉体フィーダの形状や各部の寸法は、積層造形装置に搭載したときに要求される各種制約、使用される粉体の特性、立体構造物の製造プロセス条件などを考慮して適宜変更することができる。
【０２１２】
（実施の形態９）
本実施の形態９の積層造形装置は、実施の形態１の積層造形装置１において、粉体フィーダ３０に代えて、図２０に示す分割板型粉体フィーダ（以下、単に「粉体フィーダ」という）３００を備える。
【０２１３】
粉体フィーダ３００は、粉体が投入され貯留される粉体貯留槽３０１と、分割部３１０と、粉体貯留槽３０１と分割部３１０とを接続し、粉体を粉体貯留槽３０１から分割部３１０に案内する案内管３０２と、案内管３０２の下端に設けられた開閉バルブ３０３とを備える。
【０２１４】
分割部３１０は、Ｘ軸に対して角度θ（後述する図２１参照）で傾斜した略二等辺三角形状の基板３１１と、基板３１１上に固定された略「Λ」字状（楔状）の複数の分割板３１２とを備える。複数の分割板３１２は、ボーリングのピン配置の如くに、末広がり状に配置されている。具体的には、複数の分割板３１２は、水平方向と平行な複数の直線に沿って配置されている。水平方向と平行な１本の直線に沿った分割板３１２の並びを「段」と呼ぶ。複数の分割板３１２は上下方向に複数段に分けられて、上から第Ｎ段（Ｎは自然数）には２N-1個の分割板３１２が配置されている。開閉バルブ３０３の下方に第１段に含まれる略「Λ」字状の分割板３１２の頂部が位置し、第Ｎ段に含まれる略「Λ」字状の分割板３１２の両下端の下方に、第Ｎ＋１段に含まれる分割板３１２の頂部が位置している。
【０２１５】
粉体貯留槽３０１から案内管３０２及び開閉バルブ３０３を順に通過して分割部３１０に流入した粉体流は、第１段の１個の分割板３１２で２つに分割され、次いで、第２段の２つの分割板３１２で４つに分割される。以下、同様にして、粉体流はＹ軸方向に分割されながら下方に向かって進む。このように、開閉バルブ３０３から分割部３１０に流入した粉体流は、第Ｎ段の分割板３１２を経ることで２N個の粉体流に分割され、各粉体流の流量は開閉バルブ３０３を通過時の粉体流の流量の１／２N倍となる。
【０２１６】
例えば、複数の分割板３１２が１０段にわたって配置されている場合、粉体流は１０２４本に分割される。開閉バルブ３０３を通過時の粉体流の断面積が５０ｍｍ2である場合、分割された１０２４本の粉体流のそれぞれの断面積は約０．０４９ｍｍ2となり、これは造形テーブル１０上に粉体を散布するのに十分な微細流である。
【０２１７】
粉体フィーダ３００は、実施の形態１の粉体フィーダ３０と同様に、粉体を落下させながら造形テーブル１０上をＸ軸方向に移動する。
【０２１８】
開閉バルブ３０３を開いて（又は閉じて）から、粉体フィーダ３００からの粉体の落下が開始（又は停止）するまでには、時差が生じる。したがって、この時差を考慮して、開閉バルブ３０３を制御する必要がある。
【０２１９】
複数の分割板３１２を配置した本実施の形態の粉体フィーダ３００は、単位時間当たりに落下させることができる粉体の量を多くすることができるので、粉体フィーダ３００のＸ軸方向の移動速度を早くすることができるという利点を有する。従って、粉体散布に要する時間を短縮することができる。各固結部層の厚みを薄くして固結部層の数を多くする必要がある場合には、立体構造物の形成に要する時間を大幅に短縮することができるので特に顕著な効果が得られる。
【０２２０】
図２０では、略「Λ」字状の分割板３１２を示したが、本発明において分割板の形状は、１つの粉体流を２つの粉体流にほぼ等分割することができれば、これに限定されない。例えば、板状、棒状、三角柱状、又はこれらを変形させた形状など、いずれであってもよい。
【０２２１】
分割板３１２の幅（図２０においてＹ軸方向寸法）は、その分割板３１２が上から何段目に配置されるか、により異なる。一般に、図２０に示したように、上段から下段にいくにしたがって、分割板３１２の幅は小さくなる。最下段の分割板３１２の幅が大きすぎると、隣り合う粉体流間の間隔が大きくなるので、造形テーブル１０上に均一に粉体を散布することが困難となる。逆に、最下段の分割板３１２の幅が小さすぎると、広範囲にわたって粉体を分散するためには、最下段に含まれる分割板３１２の数を多くする必要があり、段数を多くする必要があり、基板３１１上に多くの分割板３１２を配置する必要がある。従って、最下段の分割板３１２間を通過した各粉体流の流量（断面積）と隣り合う粉体流間の間隔を考慮して、各段の分割板３１２の幅が決定される。
【０２２２】
分割板３１２の高さ（図２０においてＺ軸方向寸法）が大きすぎると、基板３１１のＺ軸方向寸法が大きくなるので、粉体フィーダ３００の実用性が低下したり、分割部３１０のＺ軸方向寸法や重量が増大することにより分割部３１０のＸ軸方向の移動性が低下したり、液剤フィーダ２０などの他の装置との干渉が生じたりする。逆に、分割板３１２の高さが小さすぎると、粉体流が沿って流れる分割板３１２の２辺の傾斜が緩やかになることにより粉体流の流動性や分割性能が低下したり、分割板３１２の強度が低下したりする。これらを考慮して、分割板３１２の高さを決定するのがよい。
【０２２３】
基板３１１上に配置される複数の分割板３１２の段数は、開閉バルブ３０３を通過時の粉体流の断面積と、最下段の分割板３１２間を通過して得られる粉体流の数及びそれぞれの断面積とを考慮して決定される。一般に、３段以上であることが好ましい。
【０２２４】
図２０では、上から第Ｎ段（Ｎは自然数）には２N-1個の分割板３１２が配置される例を示したが、本発明はこれに限定されない。例えば、開閉バルブ３０３を通過後の粉体流の幅（図２０においてＹ軸方向寸法）が大きい場合には、第１段に複数の分割板３１２を配置しても良い。また、第Ｎ＋１段に含まれる分割板３１２の数は、第Ｎ段に含まれる分割板３１２の数より多ければよい。例えば、第Ｎ段の隣り合う分割板３１２の間を通過する粉体流が、第Ｎ＋１段の１つの分割板３１２で２分割されるように、複数の分割板３１２を配置しても良い。
【０２２５】
図２１は、粉体フィーダ３００の側面図である。粉体フィーダ３００の分割部３１０は、粉体散布時には、粉体をベース１２の上方から落下させながら図示しない駆動機構によりＸ軸方向に移動する。本例では、粉体貯留槽３０１は造形テーブル１０よりも高い位置に固定されており、粉体貯留槽３０１と分割部３１０とを接続する案内管３０２は柔軟性と弾性とを備えた材料からなる。これにより、分割部３１０の位置にかかわらず、固定された粉体貯留槽３０１から移動する分割部３１０に粉体を安定して供給することができる。
【０２２６】
分割部３１０の基板３１１とＸ軸とがなす角度θは３〜９０度の範囲で任意に設定することができる。使用する粉体の特性や、分割板３１２の形状及び配置に応じて角度θを変更することにより、粉体流の流量を調整することができる。
【０２２７】
（実施の形態１０）
図２２は、ベース４２０上に形成された立体構造物４００の一例の断面図である。このような立体構造物４００を形成するためには、ベース４２０の周囲壁に形成された窪み（アンダーカット）４２１内にも固結部を形成する必要があり、実施の形態１で説明したようにベース１２の上方から液剤及び粉体を単に落下させるだけでは形成することができない。このような立体構造物４００は、実施の形態１の積層造形装置に、液剤及び粉体の散布時の造形テーブル１０の上面の水平面に対する傾斜角度を任意に設定できる傾斜機構を付加することで製作することができる。例えば、造形テーブル１０を反転させるアーム４０に接続された回転駆動機構に、傾斜機構としての機能を付加しても良い。
【０２２８】
以下に、図２３Ａ〜図２３Ｄを用いて、立体構造物４００の製作方法を説明する。図２３Ａ〜図２３Ｄでは、図面を簡単化するために、造形テーブル１０、ベース４２０、及びベース４２０上に形成される固結部のみを図示し、これら以外の積層造形装置の構成部材の図示を省略している。
【０２２９】
まず、図２３Ａに示すように、その上面が水平面と平行に設定された造形テーブル１０上にベース４２０を固定する。このベース４２０の周囲壁には、ベース４２０をＺ軸と平行に上方から見たときに見ることができない窪み（アンダーカット）４２１が形成されている。
【０２３０】
次に、実施の形態１〜３で説明したのと同様に、液剤付与、粉体落下、及び未固結の粉体の除去を所定回数繰り返すことにより、造形テーブル１０の上面を水平面と平行にしたときに上方から見えるベース４２０上の所定の領域上に、必要な厚さの固結部層４０１を形成する（図２３Ｂ参照）。ここで、液剤付与及び粉体落下は、造形テーブル１０の上面を水平面と平行にした状態で行う。このとき、ベース４２０の窪み４２１内には固結部層４０１は形成されない。
【０２３１】
次に、ベース４２０の表面のうち、図２３Ｂで固結部層４０１が形成されていない領域、特に窪み４２１が上方に向くように、傾斜機構を用いて、ベース４２０を傾斜させる（図２３Ｃ参照）。実施の形態１〜３で説明したのと同様に、液剤付与、粉体落下、及び未固結の粉体の除去を所定回数繰り返すことにより、ベース４２０の表面のうち、窪み４２１を含む領域に必要な厚さの固結部層４０２を形成する（図２３Ｄ参照）。ここで、液剤付与及び粉体落下は、造形テーブル１０を図２３Ｃに示したように傾斜させた状態で行う。かくして、ベース４２０上に、図２２に示した立体構造物４００を形成することができる。
【０２３２】
以上のように、本実施の形態１０によれば、どのような方向からベースを見ても、ベース上の固結部層を形成する必要がある全領域を同時に見ることができない場合であっても、ベースの向き（姿勢）を複数通りに変えて固結部層を形成するので、ベース上に所望の立体構造物を形成することができる。
【０２３３】
本実施の形態により立体構造物を形成するためには、形成しようとする立体構造物の３次元形状データをベースの向きの変化数に応じて複数に分解して、それぞれの向きごとに、液剤吐出制御データなどを演算して求めればよい。
【０２３４】
上記の説明では、ベース４２０が窪み４２１を有している場合を説明したが、本実施の形態は、窪み４２１を有していないようなベース上に立体構造物を形成する場合に適用することも可能である。
【０２３５】
上記の説明では、図２３Ｂのように第１方向に向けられたベース４２０に対して液剤の付与と粉体の落下とを繰り返し行ってベース４２０上に液剤と粉体とが固結してなる所望する厚さの固結部層４０１を形成した後、図２３Ｃのように第２方向に向けられたベース４２０に対して液剤の付与と粉体の落下とを繰り返し行ってベース４２０上に液剤と粉体とが固結してなる所望する厚さの固結部層４０２を形成した。即ち、立体構造物４００を形成しようとするベース４２０の表面を第１領域及び第２領域に分割し、立体構造物４００のうち第１領域内の部分４０１を完成させ、次いで、立体構造物４００のうち第２領域内の部分４０２を完成させた。
【０２３６】
しかしながら、本発明はこれに限定されない。例えば、図２３Ｂのように第１方向に向けられたベース４２０に対して液剤の付与と粉体の落下とを行ってベース４２０上に液剤と粉体とが固結してなる単層の固結部層を形成する工程と、図２３Ｃのように第２方向に向けられたベース４２０に対して液剤の付与と粉体の落下とを行ってベース４２０上に液剤と粉体とが固結してなる単層の固結部層を形成する工程とを交互に繰り返し行うことにより、ベース４２０上に立体構造物４００を形成しても良い。即ち、単層の固結部層を第１領域及び第２領域に交互に形成しても良い。
【０２３７】
上記の実施の形態では、ベースの向きを２通りに変化させて立体構造物を形成したが、本発明においてベースの向きの変化数は２通りに限定されず、ベースの表面形状（例えば窪みの数や程度）に応じて適宜変更することができる。但し、ベースの向きの変化数が多くなると、それぞれの向きで形成された固結部層の境界部分に凹凸が形成されて立体構造物の形状精度が劣化したり、立体構造物の形成時間が著しく増加したりすることがある。従って、ベースの向きを必要以上に変化させることは好ましくなく、実用上はベースの向きは２〜１０通り、更には２〜６通りに変化させるのが好ましい。
【０２３８】
（実施の形態１１）
図２４は、本発明の実施の形態１１に係る立体構造物５００の一例の側方から見た端面図である。この立体構造物５００は、金属部分５０１と樹脂部分５０２とからなる部分床義歯などの補綴物である。
【０２３９】
本発明の積層造形装置を用いた立体構造物５００の製造方法を説明する。
【０２４０】
まず、図２５Ａのように、金属部分５０１を作成する。金属部分５０１の作成方法としては、特に制限はなく従来より公知の方法を用いることができる。例えば、手作業による方法、ＣＡＤ／ＣＡＭ法を用いて金属部分５０１の３次元形状データに基づいて金属材料を切削する方法、金属粉を積層し、ＣＡＤ／ＣＡＭ法を用いて金属部分５０１の３次元形状データに基づいてレーザー光線を照射する等により金属粉を溶融し焼結する方法などを挙げることができる。患者の口腔内の粘膜面に接する面を光沢が得られるまで研磨したり、樹脂部分５０２との境界部分をサンドブラスト処理などにより滑らかにしたりするなどの表面処理を、必要に応じて金属部分５０１に施してもよい。
【０２４１】
上記とは別に、図２５Ｂに示すように、積層造形装置の造形テーブル１０上に、ベース５１０を固定する。ベース５１０は患者の顎堤を複製したものであり、その上面は患者の口腔内の粘膜面形状と同じ形状を呈する。
【０２４２】
次に、図２５Ｃに示すように、ベース５１０上に図２５Ａで得た金属部分５０１を設置する。
【０２４３】
その後、本発明の造形装置を用いて、液剤付与、粉体落下、及び未固結の粉体の除去を所定回数繰り返して樹脂部分５０２となる固結部層を形成して、立体構造物５００を得る（図２５Ｄ参照）。
【０２４４】
その後、立体構造物５００をベース５１０から取り外し、必要に応じて細部の修正や表面研磨などの後処理を行い、歯科用補綴物が完成する。
【実施例１】
【０２４５】
実施の形態１で説明した積層造形装置１を用いて上顎の総義歯用の全部床を作製した。
【０２４６】
［粉体の調整］
粉体として、メチルメタアクリレートとエチルメタアクリレートが重量比１：１である共重合体の球状粒子体（平均粒子径７０μｍ）１００重量部と、過酸化ベンゾイル１重量部との混合物を用いた。
【０２４７】
［液剤の調整］
液剤として、食用インクにて着色したメチルメタアクリレート単量体９０重量部に、エチレングリコールジメタアクリレート単量体１０重量部、及びジエタノールパラトルイジン３重量部を配合した組成物を用いた。これをもとに歯肉色に調整した液剤１と、透明色に調整した液剤２とを準備した。
【０２４８】
［液剤吐出制御データの作成］
人工歯が嵌入される孔を有する全部床の３次元形状データに、目的とする色調となるように色調データを付け加えて、液剤吐出制御データを作成した。具体的には、外面から深さ約１ｍｍまでの表層が液剤２で作成され、これより内側部分が液剤１で作成されるように、液剤１，２の付与位置データを作成した。
【０２４９】
［積層造形装置の仕様］
１辺が１００ｍｍの正方形の造形テーブル１０上に患者の顎堤を複製したベース１２を固定した。
【０２５０】
粉体フィーダ３０は、Ｙ軸方向幅が１００ｍｍ、Ｘ軸方向（移動方向）の幅が３ｍｍのスリット３２を備える。
【０２５１】
液剤フィーダ２０は、ピエゾ素子駆動により液剤１，２をそれぞれ射出する２つのノズル２１を備える。具体的には、ノズル２１として、ピエゾ素子駆動のインクジェットヘッドである、コニカミノルタテクノロジーセンター株式会社製３１８ＳＬＸを用いた。このインクジェットヘッドの制御装置として、コニカミノルタテクノロジーセンター株式会社製インクジェットヘッド評価キットＫＩＥ２を用いた。制御プログラムとして、この制御装置に付属のソフトウエアを用いた。２つのノズル２１のそれぞれに容量３００ｃｃの液剤貯留タンクをチューブを介して接続した。
【０２５２】
コンピュータを用いて、粉体フィーダ３０及び液剤フィーダ２０の移動、粉体フィーダ３０のスリット３２の開閉、液剤フィーダ２０の２つのノズル２１からの液剤の射出を制御した。
【０２５３】
［立体構造物の造形］
図１に示した積層造形装置１を用い、上記の液剤吐出制御データを用いて液剤１，２の付与位置を制御して、図２Ａ〜図３Ｄに示す工程を行って、患者の口腔内の粘膜面形状を忠実に再現したベース１２上に全部床を作成した。液剤の重合には化学重合法を用いた。
【０２５４】
［後工程］
得られた全部床をベース１２から取り外した。ベース１２と接触していた面（粘着面）は、ベース１２の面に沿って滑らかに造形されていて積層段差は認められなかった。一方、ベース１２に接触していた面以外の面には、僅かな積層段差が認められた。この積層段差を、大栄歯科産業株式会社製の超音波ミニカッターＭＣ−２０を用いて解消した。その後、全部床の全面にバフ研磨を施して仕上げた。
【０２５５】
得られた全部床の上部の孔に、株式会社松風製の硬質レジン歯ベラシアの前歯および臼歯各１セット分の人工歯を、株式会社松風製アドファの粉材と液剤を混合したものを接着剤として用いて接着固定した。
【０２５６】
かくして得られた総義歯の粘着面は、患者の口腔内の粘膜面に対して極めて高い適合性を有していた。
【０２５７】
全部床の作成に要した時間は、設計に３０分、造形に２時間３０分、表面の段差解消及び研磨作業に３０分の合計３時間３０分であり、従来の型取り、複製模型の作製、ワックスアップ、埋没、脱鑞、鋳型、築盛、研磨などを行う一般的方法の約１３時間と比較して大幅に短縮することができた。
【０２５８】
以上に説明した実施の形態及び実施例は、いずれもあくまでも本発明の技術的内容を明らかにする意図のものであって、本発明はこのような具体例にのみ限定して解釈されるものではなく、その発明の精神と請求の範囲に記載する範囲内でいろいろと変更して実施することができ、本発明を広義に解釈すべきである。
【産業上の利用可能性】
【０２５９】
本発明の利用分野は特に制限はなく、各種立体構造物の作成に利用することができる。中でも、歯科用構造材の製造に好ましく利用することができる。例えば、歯科補綴分野において用いられる有床義歯、自分で義歯を清掃できない要介護者等が装着し、汚れたら新たな同一形状の義歯と交換使用することで口腔内を清潔に保つために使用される使い捨て義歯、運動時に歯牙を衝撃から保護するために口腔内に装着されるマウスピース、歯軋りによる歯牙の磨耗や折損を防止するために用いられる保護具、顎関節の異常による障害発生の防止、軽減や顎間接異常を治療する目的で使用されるスプリント、嚥下障害の軽減や解消のために用いられる装具、歯学研究において顎運動や口腔開閉時における歯牙の接触・離開の径始を計測する目的で用いられるセンサー保持具・センサー埋包体・シーネ等の製作に利用することができる。
【図面の簡単な説明】
【０２６０】
【図１】図１は、本発明の実施の形態１に係る積層造形装置の概略構成を示した斜視図である。
【図２Ａ】図２Ａは、本発明の実施の形態１に係る積層造形装置を用いた立体構造物の製作方法の一工程を示した断面図である。
【図２Ｂ】図２Ｂは、本発明の実施の形態１に係る積層造形装置を用いた立体構造物の製作方法の一工程を示した断面図である。
【図３Ａ】図３Ａは、本発明の実施の形態１に係る積層造形装置を用いた立体構造物の製作方法の一工程を示した断面図である。
【図３Ｂ】図３Ｂは、本発明の実施の形態１に係る積層造形装置を用いた立体構造物の製作方法の一工程を示した断面図である。
【図３Ｃ】図３Ｃは、本発明の実施の形態１に係る積層造形装置を用いた立体構造物の製作方法の一工程を示した断面図である。
【図３Ｄ】図３Ｄは、本発明の実施の形態１に係る積層造形装置を用いた立体構造物の製作方法の一工程を示した断面図である。
【図４】図４は、本発明の実施の形態２に係る積層造形装置の概略構成を示した斜視図である。
【図５】図５は、本発明の実施の形態３に係る積層造形装置の概略構成を示した斜視図である。
【図６】図６は、本発明の実施の形態４に係る積層造形装置の概略構成を示した斜視図である。
【図７Ａ】図７Ａは、本発明の実施の形態４に係る積層造形装置を用いた立体構造物の製作方法の一工程を示した断面図である。
【図７Ｂ】図７Ｂは、本発明の実施の形態４に係る積層造形装置を用いた立体構造物の製作方法の一工程を示した断面図である。
【図７Ｃ】図７Ｃは、本発明の実施の形態４に係る積層造形装置を用いた立体構造物の製作方法の一工程を示した断面図である。
【図８Ａ】図８Ａは、本発明の実施の形態４に係る積層造形装置を用いた立体構造物の製作方法の一工程を示した断面図である。
【図８Ｂ】図８Ｂは、本発明の実施の形態４に係る積層造形装置を用いた立体構造物の製作方法の一工程を示した断面図である。
【図８Ｃ】図８Ｃは、本発明の実施の形態４に係る積層造形装置を用いた立体構造物の製作方法の一工程を示した断面図である。
【図９】図９は、本発明の実施の形態５に係る積層造形装置の概略構成を示した斜視図である。
【図１０Ａ】図１０Ａは、本発明の実施の形態５に係る積層造形装置を用いた立体構造物の製作方法の一工程を示した図である。
【図１０Ｂ】図１０Ｂは、本発明の実施の形態５に係る積層造形装置を用いた立体構造物の製作方法の一工程を示した図である。
【図１０Ｃ】図１０Ｃは、本発明の実施の形態５に係る積層造形装置を用いた立体構造物の製作方法の一工程を示した図である。
【図１１】図１１は、本発明の実施の形態６に係る積層造形装置の概略構成を示した斜視図である。
【図１２】図１２は、本発明の実施の形態６に係る積層造形装置における複層スクリーン型粉体フィーダの分解斜視図である。
【図１３Ａ】図１３Ａは、本発明の実施の形態６に係る積層造形装置における複層スクリーン型粉体フィーダのスクリーンに形成された微細孔の一例を示した平面図である。
【図１３Ｂ】図１３Ｂは、本発明の実施の形態６に係る積層造形装置における複層スクリーン型粉体フィーダのスクリーンに形成された微細孔の別の例を示した平面図である。
【図１３Ｃ】図１３Ｃは、本発明の実施の形態６に係る積層造形装置における複層スクリーン型粉体フィーダのスクリーンに形成された微細孔の更に別の例を示した平面図である。
【図１３Ｄ】図１３Ｄは、本発明の実施の形態６に係る積層造形装置における複層スクリーン型粉体フィーダのスクリーンに形成された微細孔の更に別の例を示した平面図である。
【図１４】図１４は、本発明の実施の形態７に係る積層造形装置の概略構成を示した斜視図である。
【図１５】図１５は、本発明の実施の形態８に係る複層スクリーン型粉体フィーダの概略構成を示した斜視図である。
【図１６】図１６は、本発明の実施の形態８に係る複層スクリーン型粉体フィーダの一例の下面図である。
【図１７】図１７は、本発明の実施の形態８に係る複層スクリーン型粉体フィーダの別の例の下面図である。
【図１８】図１８は、本発明の実施の形態８に係る別の複層スクリーン型粉体フィーダの概略構成を示した側面図である。
【図１９】図１９は、本発明の実施の形態８に係る更に別の複層スクリーン型粉体フィーダの概略構成を示した斜視図である。
【図２０】図２０は、本発明の実施の形態９に係る分割板型粉体フィーダの概略構成を示した正面図である。
【図２１】図２１は、本発明の実施の形態９に係る分割板型粉体フィーダの概略構成を示した側面図である。
【図２２】図２２は、本発明の実施の形態１０に係る立体構造物の一例の断面図である。
【図２３Ａ】図２３Ａは、本発明の実施の形態１０に係る立体構造物の製作方法の一工程を示した断面図である。
【図２３Ｂ】図２３Ｂは、本発明の実施の形態１０に係る立体構造物の製作方法の一工程を示した断面図である。
【図２３Ｃ】図２３Ｃは、本発明の実施の形態１０に係る立体構造物の製作方法の一工程を示した断面図である。
【図２３Ｄ】図２３Ｄは、本発明の実施の形態１０に係る立体構造物の製作方法の一工程を示した断面図である。
【図２４】図２４は、本発明の実施の形態１１に係る立体構造物の一例の端面図である。
【図２５Ａ】図２５Ａは、本発明の実施の形態１１に係る立体構造物の製作方法の一工程を示した端面図である。
【図２５Ｂ】図２５Ｂは、本発明の実施の形態１１に係る立体構造物の製作方法の一工程を示した断面図である。
【図２５Ｃ】図２５Ｃは、本発明の実施の形態１１に係る立体構造物の製作方法の一工程を示した断面図である。
【図２５Ｄ】図２５Ｄは、本発明の実施の形態１１に係る立体構造物の製作方法の一工程を示した断面図である。
【図２６】図２６は、従来の積層造形装置の一例の概略構成を示した斜視図である。
【図２７Ａ】図２７Ａは、従来の積層造形装置を用いた立体構造物の製作方法の一工程を示した断面図である。
【図２７Ｂ】図２７Ｂは、従来の積層造形装置を用いた立体構造物の製作方法の一工程を示した断面図である。
【図２７Ｃ】図２７Ｃは、従来の積層造形装置を用いた立体構造物の製作方法の一工程を示した断面図である。
【図２７Ｄ】図２７Ｄは、従来の積層造形装置を用いた立体構造物の製作方法の一工程を示した断面図である。
【図２７Ｅ】図２７Ｅは、従来の積層造形装置を用いた立体構造物の製作方法の一工程を示した断面図である。
【図１】
0004481331.tif 000002
【図２Ａ】
0004481331.tif 000003
【図２Ｂ】
0004481331.tif 000004
【図３Ａ】
0004481331.tif 000005
【図３Ｂ】
0004481331.tif 000006
【図３Ｃ】
0004481331.tif 000007
【図３Ｄ】
0004481331.tif 000008
【図４】
0004481331.tif 000009
【図５】
0004481331.tif 000010
【図６】
0004481331.tif 000011
【図７Ａ】
0004481331.tif 000012
【図７Ｂ】
0004481331.tif 000013
【図７Ｃ】
0004481331.tif 000014
【図８Ａ】
0004481331.tif 000015
【図８Ｂ】
0004481331.tif 000016
【図８Ｃ】
0004481331.tif 000017
【図９】
0004481331.tif 000018
【図１０Ａ】
0004481331.tif 000019
【図１０Ｂ】
0004481331.tif 000020
【図１０Ｃ】
0004481331.tif 000021
【図１１】
0004481331.tif 000022
【図１２】
0004481331.tif 000023
【図１３Ａ】
0004481331.tif 000024
【図１３Ｂ】
0004481331.tif 000025
【図１３Ｃ】
0004481331.tif 000026
【図１３Ｄ】
0004481331.tif 000027
【図１４】
0004481331.tif 000028
【図１５】
0004481331.tif 000029
【図１６】
0004481331.tif 000030
【図１７】
0004481331.tif 000031
【図１８】
0004481331.tif 000032
【図１９】
0004481331.tif 000033
【図２０】
0004481331.tif 000034
【図２１】
0004481331.tif 000035
【図２２】
0004481331.tif 000036
【図２３Ａ】
0004481331.tif 000037
【図２３Ｂ】
0004481331.tif 000038
【図２３Ｃ】
0004481331.tif 000039
【図２３Ｄ】
0004481331.tif 000040
【図２４】
0004481331.tif 000041
【図２５Ａ】
0004481331.tif 000042
【図２５Ｂ】
0004481331.tif 000043
【図２５Ｃ】
0004481331.tif 000044
【図２５Ｄ】
0004481331.tif 000045
【図２６】
0004481331.tif 000046
【図２７Ａ】
0004481331.tif 000047
【図２７Ｂ】
0004481331.tif 000048
【図２７Ｃ】
0004481331.tif 000049
【図２７Ｄ】
0004481331.tif 000050
【図２７Ｅ】
0004481331.tif 000051